(57)【要約】  複数の周波数帯域を移動局装置で受信中の状態において、効率的な無線リンク同期判定を実現する。移動局装置は、一つまたは複数の基地局装置、および前記各基地局装置から送信される互いに異なる複数の下り周波数帯域の送信信号（ＤＬ＿ＣＣ１、ＤＬ＿ＣＣ２）の受信品質を測定し、測定した全ての受信品質が閾値Ｑｏｕｔ（下り同期判定用閾値）を下回ったときに下り同期誤りと判定し、下り同期状態を誤り検出区間に遷移させる。移動局装置は、下り同期誤りが所定回数連続して判定された場合、下り同期状態を同期保護区間へと遷移させ、同時に下り同期保護タイマを開始する。下り同期保護タイマの満了までに下り同期が回復しない場合、下り同期外れと判定し、個別に指定されていた無線リソースを解放した後にセルリセレクションを開始する。
2010084688.tif 000002
【特許請求の範囲】
【請求項１】
一つまたは複数の基地局装置と、前記基地局装置と通信を行なう移動局装置であって、
前記一つまたは複数の基地局装置から送信される互いに異なる複数の下り周波数帯域の送信信号の受信品質を測定し、
前記複数の下り周波数帯域の送信信号の受信品質と下り同期誤り判定用閾値及び下り同期回復判定用閾値とを下り周波数帯域毎に比較することによって下り同期状態の判定に用いられる下り同期誤りまたは下り同期回復を判定し、
前記下り同期誤りが一定回数連続して判定された場合に同期保護タイマの計時を開始し、前記同期保護タイマが満了したときに下り同期状態を下り同期外れと判定し、無線リソースを解放して再接続を開始し、
前記同期保護タイマの計時中に、前記下り同期回復が一定回数連続して判定された場合に前記同期保護タイマの計時を停止し、下り同期状態を下り同期と判定する判定手段を備えることを特徴とする移動局装置。
【請求項２】
測定した前記複数の下り周波数帯域の送信信号の受信品質が全て前記下り同期誤り判定用閾値よりも下回っていた場合に下り同期誤りであると判定し、判定結果を上記レイヤに通知し、上位レイヤにおいて前記下り同期誤りが連続して判定された回数をカウントすることを特徴とする請求項１に記載の移動局装置。
【請求項３】
前記複数の下り周波数帯域から一つを選択し、選択した下り周波数帯域の送信信号の受信品質が前記下り同期誤り判定用閾値よりも下回っていた場合に下り同期誤りであると判定し、判定結果を上位レイヤに通知し、上位レイヤにおいて前記下り同期誤りが連続して判定された回数をカウントすることを特徴とする請求項１に記載の移動局装置。
【請求項４】
測定した前記複数の下り周波数帯域の送信信号の受信品質のいずれかが前記下り同期回復判定用閾値よりも上回っていた場合に下り同期回復であると判定し、判定結果を上位レイヤに通知し、上位レイヤにおいて前記下り同期回復が連続して判定された回数をカウントすることを特徴とする請求項２に記載の移動局装置。
【請求項５】
前記選択した下り周波数帯域の送信信号の受信品質が前記下り同期回復判定用閾値よりも上回っていた場合に下り同期回復であると判定し、判定結果を上位レイヤに通知し、上位レイヤにおいて前記下り同期回復が連続して判定された回数をカウントすることを特徴とする請求項３に記載の移動局装置。
【請求項６】
一つまたは複数の基地局装置と、前記基地局装置と通信を行なう移動局装置であって、
前記一つまたは複数の基地局装置から送信される互いに異なる複数の下り周波数帯域の送信信号の受信品質を判定し、
前記複数の下り周波数帯域の送信信号の受信品質と下り同期誤り判定用閾値及び下り同期回復判定用閾値とを下り周波数帯域毎に比較することによって下り同期状態の判定に用いられる下り同期誤りまたは下り同期回復を下り周波数帯域毎に判定し、
前記下り同期誤りが一定回数連続して判定された場合に下り周波数帯域毎に同期保護タイマの計時を開始し、前記下り周波数帯域毎の同期保護タイマが満了したときに下り同期状態を下り周波数帯域毎の下り同期外れと判定し、測定した全ての下り周波数帯域で前記同期保護タイマが満了したときに下り同期状態を下り同期外れと判定し、無線リソースを解放して再接続を開始し、
前記下り周波数帯域毎の同期保護タイマの計時中に、前記下り周波数帯域毎の前記下り同期回復が一定回数連続して判定された場合に前記下り周波数帯域毎の同期保護タイマの計時を停止し、下り同期状態を下り周波数帯域毎の下り同期と判定する判定手段を備えることを特徴とする移動局装置。
【請求項７】
請求項１〜６のいずれかの移動局装置と接続される基地局装置であって、再接続を行なう場合に前記移動局装置から通知されるセルＩＤと移動局装置ＩＤに基づき中断されていた前記移動局装置宛のデータを判断し、前記データの送信を再開することを特徴とする基地局装置。
【請求項８】
一つまたは複数の基地局装置と、前記基地局装置と通信を行なう移動局装置における無線リンク同期判定方法であって、
前記一つまたは複数の基地局装置から送信される互いに異なる複数の下り周波数帯域の送信信号の受信品質を測定するステップと、
前記複数の下り周波数帯域の送信信号の受信品質と下り同期誤り判定用閾値及び下り同期回復判定用閾値とを下り周波数帯域毎に比較することによって下り同期状態の判定に用いられる下り同期誤りまたは下り同期回復を判定するステップと、
前記下り同期誤りが一定回数連続して判定された場合に同期保護タイマの計時を開始し、前記同期保護タイマが満了したときに下り同期状態を下り同期外れと判定し、無線リソースを解放して再接続を開始するステップと、
前記同期保護タイマの計時中に前記下り同期回復が一定回数連続して判定された場合に前記同期保護タイマの計時を停止し、下り同期状態を下り同期と判定する判定ステップを備えることを特徴とする無線リンク同期判定方法。
【請求項９】
測定した前記複数の下り周波数帯域の送信信号の受信品質が全て前記下り同期誤り判定用閾値よりも下回っていた場合に下り同期誤りであると判定し、判定結果を上位レイヤに通知し、上位レイヤにおいて前記下り同期誤りが連続して判定された回数をカウントするステップを備えることを特徴とする請求項８に記載の無線リンク同期判定方法。
【請求項１０】
前記複数の下り周波数帯域から一つを選択し、選択した下り周波数帯域の送信信号の受信品質が前記下り同期誤り判定用閾値よりも下回っていた場合に下り同期誤りであると判定し、判定結果を上位レイヤに通知し、上位レイヤにおいて前記下り同期誤りが連続して判定された回数をカウントするステップを備えることを特徴とする請求項８に記載の無線リンク同期判定方法。
【請求項１１】
測定した前記複数の下り周波数帯域の送信信号の受信品質のいずれかが前記下り同期回復判定用閾値よりも上回っていた場合に下り同期回復であると判定し、判定結果を上位レイヤに通知し、上位レイヤにおいて前記下り同期回復が連続して判定された回数をカウントするステップを備えることを特徴とする請求項９に記載の無線リンク同期判定方法。
【請求項１２】
前記選択した下り周波数帯域の送信信号の受信品質が前記下り同期回復判定用閾値よりも上回っていた場合に下り同期回復であると判定し、判定結果を上位レイヤに通知し、上位レイヤにおいて前記下り同期回復が連続して判定された回数をカウントするステップを備えることを特徴とする請求項１０に記載の無線リンク同期判定方法。
【請求項１３】
一つまたは複数の基地局装置と、前記基地局装置と通信を行なう移動局装置における無線リンク同期判定方法であって、
前記一つまたは複数の基地局装置から送信される互いに異なる複数の下り周波数帯域の送信信号の受信品質を測定するステップと、
前記複数の下り周波数帯域の送信信号の受信品質と下り同期誤り判定用閾値及び下り同期回復判定用閾値とを下り周波数帯域毎に比較することによって下り同期状態の判定に用いられる下り同期誤りまたは下り同期回復を下り周波数帯域毎に判定するステップと、
前記下り同期誤りが一定回数連続して判定された場合に下り周波数帯域毎に同期保護タイマの計時を開始し、前記下り周波数帯域毎の同期保護タイマが満了した時に下り同期状態を下り周波数帯域毎の下り同期外れと判定し、測定した全ての下り周波数帯域で前記同期保護タイマが満了したときに下り同期状態を下り同期外れと判定し、無線リソースを解放して再接続を開始するステップと、
前記下り周波数帯域毎の同期保護タイマの計時中に、前記下り周波数帯域毎の前記下り同期回復が一定回数連続して判定された場合に前記下り周波数帯域毎の同期保護タイマの計時を停止し、下り同期状態を下り周波数帯域毎の下り同期と判定する判定ステップを備えることを特徴とする無線リンク同期判定方法。
【発明の詳細な説明】
【技術分野】
【０００１】
本発明は、移動局装置、基地局装置、無線リンク同期判定方法に関し、特に、複数の周波数帯域を同時に受信している場合の無線リンク同期判定方法に関する。
【背景技術】
【０００２】
標準化団体３ＧＰＰ（３ｒｄ  Ｇｅｎｅｒａｔｉｏｎ  Ｐａｒｔｎｅｒｓｈｉｐ  Ｐｒｏｊｅｃｔ）において第３世代の移動通信方式を進化させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降ＥＵＴＲＡと称する）、更にその発展形であるＡｄｖａｎｃｅｄ  ＥＵＴＲＡ（ＬＴＥ−Ａｄｖａｎｃｅｄとも呼ばれる）の検討が進められている（非特許文献１）。【０００３】
Ａｄｖａｎｃｅｄ  ＥＵＴＲＡでは、ＥＵＴＲＡとの互換性を維持しつつ、より高速なデータ伝送が可能な技術として、Ｃａｒｒｉｅｒ  Ａｇｇｒｅｇａｔｉｏｎが提案されている（例えば非特許文献２、非特許文献３）。Ｃａｒｒｉｅｒ  Ａｇｇｒｅｇａｔｉｏｎとは、送信装置の最大送信帯域幅を超える受信帯域幅を持つ一つの受信機、または送信装置の最大送信帯域幅に等しい、または送信帯域幅を超える受信帯域幅を持つ複数の受信機を備える受信装置を用意し、複数の異なる周波数帯域（キャリア周波数）から送信された送信装置のデータを、異なる周波数帯域に対応する受信機でそれぞれ受信装置において受信することで、データレートを向上させる技術である。なお、以後は下り送信における受信装置のことを移動局装置、送信装置のことを基地局装置と記載し、上り送信における受信装置のことを基地局装置、送信装置のことを移動局装置と記載するが、本発明の適用範囲はこれらの装置に限定する必要は無い。【０００４】
ＥＵＴＲＡの移動局装置は、現在通信中の基地局装置が通信先として適切であるかについて、上位レイヤで無線リンク問題（Ｒａｄｉｏ  Ｌｉｎｋ  Ｐｒｏｂｌｅｍ）を検出することで判定している（非特許文献４、５．３．１１節）。無線リンク問題とは、下位レイヤで発生した問題（物理レイヤにおける物理レイヤ問題（Ｐｈｙｓｉｃａｌ  Ｌａｙｅｒ  Ｐｒｏｂｌｅｍ）またはデータリンクレイヤにおけるランダムアクセス問題（Ｒａｎｄｏｍ  Ａｃｃｅｓｓ  Ｐｒｏｂｌｅｍ））のことである。物理レイヤ問題は、基地局装置からの送信信号の受信品質と閾値とを比較することによって物理レイヤで検出される。また、ランダムアクセス問題は、プリアンブル送信回数が最大送信回数に達した場合にデータリンクレイヤのＭＡＣ（Ｍｅｄｉｕｍ  Ａｃｃｅｓｓ  Ｃｏｎｔｒｏｌ）で検出される。
【先行技術文献】
【非特許文献】
【０００５】
【非特許文献１】３ＧＰＰ  ＴＲ３６．９１３，Ｒｅｑｕｉｒｅｍｅｎｔｓ  ｆｏｒ  Ｆｕｒｔｈｅｒ  Ａｄｖａｎｃｅｍｅｎｔｓ  ｆｏｒ  Ｅ−ＵＴＲＡ．Ｖ８．０．０  ｈｔｔｐ：／／ｗｗｗ．３ｇｐｐ．ｏｒｇ／ｆｔｐ／Ｓｐｅｃｓ／ｈｔｍｌ−ｉｎｆｏ／３６９１３．ｈｔｍ
【非特許文献２】Ｍｏｔｏｒｏｌａ，Ｒ１−０８３８２１，３ＧＰＰ  ＴＳＧ−ＲＡＮ１  Ｍｅｅｔｉｎｇ  ＃５４ｂｉｓ，Ｐｒａｇｕｅ，Ｃｚｅｃｈ  Ｒｅｐｕｂｌｉｃ，Ｓｅｐ  ２９−Ｏｃｔ  ３，２００８
【非特許文献３】ＮＴＴＤｏＣｏＭｏ，Ｒ１−０８３６７７，３ＧＰＰ  ＴＳＧ−ＲＡＮ  ＷＧ１  Ｍｅｅｔｉｎｇ  ＃５４ｂｉｓ，Ｐｒａｇｕｅ，Ｃｚｅｃｈ  Ｒｅｐｕｂｌｉｃ，Ｓｅｐ  ２９−Ｏｃｔ  ３，２００８
【非特許文献４】３ＧＰＰ  ＴＳ３６．３３１，Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ．Ｖ８．４．０  ｈｔｔｐ：／／ｗｗｗ．３ｇｐｐ．ｏｒｇ／ｆｔｐ／Ｓｐｅｃｓ／ｈｔｍｌ−ｉｎｆｏ／３６３３１．ｈｔｍ
【発明の概要】
【発明が解決しようとする課題】
【０００６】
Ｃａｒｒｉｅｒ  Ａｇｇｒｅｇａｔｉｏｎ中の移動局装置であっても、無線リソースの利用効率の観点から無線リンク問題を検出する必要があるが、現在までにＡｄｖａｎｃｅｄ  ＥＵＴＲＡの移動局装置（以後、単に移動局装置と称する）の物理レイヤ問題とランダムアクセス問題についての検討はされていない。本発明では、特に、物理レイヤ問題に関する従来方式の課題の解決策について述べる。【０００７】
移動局装置がＣａｒｒｉｅｒ  Ａｇｇｒｅｇａｔｉｏｎによって複数の周波数帯域（Ｃｏｍｐｏｒｎｅｎｔ  Ｃａｒｒｉｅｒ（コンポーネントキャリア、キャリア要素）とも呼ばれる）で通信を行なっている場合では、物理レイヤ問題を検出するための無線リンク同期判定を、どのコンポーネントキャリアに配置されているセル（以後、コンポーネントキャリアと略す）の受信品質に基づいて判定するのが好適であるかについて、非特許文献１から非特許文献４において何ら開示されていない。例えば、あるコンポーネントキャリアの受信品質が大きく劣化している場合で、別に受信しているコンポーネントキャリアの受信品質が十分に良好である場合、ＥＵＴＲＡの移動局装置と同様の無線リンク同期判定では、このような受信品質の状態を想定していないために、正しく下り同期状態を管理できないという問題があった。【０００８】
本発明は、上述のごとき実情に鑑みてなされたもので、複数の周波数帯域を移動局装置で受信中の状態において、効率的な無線リンク同期判定を実現可能な移動局装置、基地局装置、プログラム及び記録媒体を提供することを目的とするものである。
【課題を解決するための手段】
【０００９】
本発明の移動局装置は、Ｃａｒｒｉｅｒ  Ａｇｇｒｅｇａｔｉｏｎ中において、複数のコンポーネントキャリアの受信品質を各々測定し、測定結果に基づいて無線リンク同期判定を実行する機能を有する。【００１０】
本発明の第１の技術手段は、一つまたは複数の基地局装置と、前記基地局装置と通信を行なう移動局装置であって、前記一つまたは複数の基地局装置から送信される互いに異なる複数の下り周波数帯域の送信信号の受信品質を測定し、前記複数の下り周波数帯域の送信信号の受信品質と下り同期誤り判定用閾値及び下り同期回復判定用閾値とを下り周波数帯域毎に比較することによって下り同期状態の判定に用いられる下り同期誤りまたは下り同期回復を判定し、前記下り同期誤りが一定回数連続して判定された場合に同期保護タイマの計時を開始し、前記同期保護タイマが満了したときに下り同期状態を下り同期外れと判定し、無線リソースを解放して再接続を開始し、前記同期保護タイマの計時中に、前記下り同期回復が一定回数連続して判定された場合に前記同期保護タイマの計時を停止し、下り同期状態を下り同期と判定する判定手段を備えることを特徴としたものである。【００１１】
第２の技術手段は、第１の技術手段において、一つまたは複数の基地局装置と、前記基地局装置と通信を行なう移動局装置であって、測定した前記複数の下り周波数帯域の送信信号の受信品質が全て前記下り同期誤り判定用閾値よりも下回っていた場合に下り同期誤りであると判定し、判定結果を上記レイヤに通知し、上位レイヤにおいて前記下り同期誤りが連続して判定された回数をカウントすることを特徴としたものである。【００１２】
第３の技術手段は、第１の技術手段において、一つまたは複数の基地局装置と、前記基地局装置と通信を行なう移動局装置であって、複数の下り周波数帯域から一つを選択し、選択した下り周波数帯域の送信信号の受信品質が前記下り同期誤り判定用閾値よりも下回っていた場合に下り同期誤りであると判定し、判定結果を上位レイヤに通知し、上位レイヤにおいて前記下り同期誤りが連続して判定された回数をカウントすることを特徴としたものである。【００１３】
第４の技術手段は、第２の技術手段において、一つまたは複数の基地局装置と、前記基地局装置と通信を行なう移動局装置であって、測定した前記複数の下り周波数帯域の送信信号の受信品質のいずれかが前記下り同期回復判定用閾値よりも上回っていた場合に下り同期回復であると判定し、判定結果を上位レイヤに通知し、上位レイヤにおいて前記下り同期回復が連続して判定された回数をカウントすることを特徴としたものである。【００１４】
第５の技術手段は、第３の技術手段において、一つまたは複数の基地局装置と、前記基地局装置と通信を行なう移動局装置であって、選択した下り周波数帯域の送信信号の受信品質が前記下り同期回復判定用閾値よりも上回っていた場合に下り同期回復であると判定し、判定結果を上位レイヤに通知し、上位レイヤにおいて前記下り同期回復が連続して判定された回数をカウントすることを特徴としたものである。【００１５】
第６の技術手段は、一つまたは複数の基地局装置と、前記基地局装置と通信を行なう移動局装置であって、前記一つまたは複数の基地局装置から送信される互いに異なる複数の下り周波数帯域の送信信号の受信品質を判定し、前記複数の下り周波数帯域の送信信号の受信品質と下り同期誤り判定用閾値及び下り同期回復判定用閾値とを下り周波数帯域毎に比較することによって下り同期状態の判定に用いられる下り同期誤りまたは下り同期回復を下り周波数帯域毎に判定し、前記下り同期誤りが一定回数連続して判定された場合に下り周波数帯域毎に同期保護タイマの計時を開始し、前記下り周波数帯域毎の同期保護タイマが満了したときに下り同期状態を下り周波数帯域毎の下り同期外れと判定し、測定した全ての下り周波数帯域で前記同期保護タイマが満了したときに下り同期状態を下り同期外れと判定し、無線リソースを解放して再接続を開始し、前記下り周波数帯域毎の同期保護タイマの計時中に、前記下り周波数帯域毎の前記下り同期回復が一定回数連続して判定された場合に前記下り周波数帯域毎の同期保護タイマの計時を停止し、下り同期状態を下り周波数帯域毎の下り同期と判定する判定手段を備えることを特徴としたものである。【００１６】
第７の技術手段は、第１〜第６のいずれかの技術手段の移動局装置と接続される基地局装置であって、再接続を行なう場合に前記移動局装置から通知されるセルＩＤと移動局装置ＩＤに基づき中断されていた前記移動局装置宛のデータを判断し、前記データの送信を再開することを特徴としたものである。【００１７】
第８の技術手段は、一つまたは複数の基地局装置と、前記基地局装置と通信を行なう移動局装置における無線リンク同期判定方法であって、前記一つまたは複数の基地局装置から送信される互いに異なる複数の下り周波数帯域の送信信号の受信品質を測定するステップと、前記複数の下り周波数帯域の送信信号の受信品質と下り同期誤り判定用閾値及び下り同期回復判定用閾値とを下り周波数帯域毎に比較することによって下り同期状態の判定に用いられる下り同期誤りまたは下り同期回復を判定するステップと、前記下り同期誤りが一定回数連続して判定された場合に同期保護タイマの計時を開始し、前記同期保護タイマが満了したときに下り同期状態を下り同期外れと判定し、無線リソースを解放して再接続を開始するステップと、前記同期保護タイマの計時中に前記下り同期回復が一定回数連続して判定された場合に前記同期保護タイマの計時を停止し、下り同期状態を下り同期と判定する判定ステップを備えることを特徴としたものである。【００１８】
第９の技術手段は、第８の技術手段において、一つまたは複数の基地局装置と、前記基地局装置と通信を行なう移動局装置における無線リンク同期判定方法であって、測定した前記複数の下り周波数帯域の送信信号の受信品質が全て前記下り同期誤り判定用閾値よりも下回っていた場合に下り同期誤りであると判定し、判定結果を上位レイヤに通知し、上位レイヤにおいて前記下り同期誤りが連続して判定された回数をカウントするステップを備えることを特徴としたものである。【００１９】
第１０の技術手段は、第８の技術手段において、一つまたは複数の基地局装置と、前記基地局装置と通信を行なう移動局装置における無線リンク同期判定方法であって、複数の下り周波数帯域から一つを選択し、選択した下り周波数帯域の送信信号の受信品質が前記下り同期誤り判定用閾値よりも下回っていた場合に下り同期誤りであると判定し、判定結果を上位レイヤに通知し、上位レイヤにおいて前記下り同期誤りが連続して判定された回数をカウントするステップを備えることを特徴としたものである。【００２０】
第１１の技術手段は、第９の技術手段において、一つまたは複数の基地局装置と、前記基地局装置と通信を行なう移動局装置における無線リンク同期判定方法であって、測定した前記複数の下り周波数帯域の送信信号の受信品質のいずれかが前記下り同期回復判定用閾値よりも上回っていた場合に下り同期回復であると判定し、判定結果を上位レイヤに通知し、上位レイヤにおいて前記下り同期回復が連続して判定された回数をカウントするステップを備えることを特徴としたものである。【００２１】
第１２の技術手段は、第１０の技術手段において、一つまたは複数の基地局装置と、前記基地局装置と通信を行なう移動局装置における無線リンク同期判定方法であって、選択した下り周波数帯域の送信信号の受信品質が前記下り同期回復判定用閾値よりも上回っていた場合に下り同期回復であると判定し、判定結果を上位レイヤに通知し、上位レイヤにおいて前記下り同期回復が連続して判定された回数をカウントするステップを備えることを特徴としたものである。【００２２】
第１３の技術手段は、一つまたは複数の基地局装置と、前記基地局装置と通信を行なう移動局装置における無線リンク同期判定方法であって、前記一つまたは複数の基地局装置から送信される互いに異なる複数の下り周波数帯域の送信信号の受信品質を測定するステップと、前記複数の下り周波数帯域の送信信号の受信品質と下り同期誤り判定用閾値及び下り同期回復判定用閾値とを下り周波数帯域毎に比較することによって下り同期状態の判定に用いられる下り同期誤りまたは下り同期回復を下り周波数帯域毎に判定するステップと、前記下り同期誤りが一定回数連続して判定された場合に下り周波数帯域毎に同期保護タイマの計時を開始し、前記下り周波数帯域毎の同期保護タイマが満了した時に下り同期状態を下り周波数帯域毎の下り同期外れと判定し、測定した全ての下り周波数帯域で前記同期保護タイマが満了したときに下り同期状態を下り同期外れと判定し、無線リソースを解放して再接続を開始するステップと、前記下り周波数帯域毎の同期保護タイマの計時中に、前記下り周波数帯域毎の前記下り同期回復が一定回数連続して判定された場合に前記下り周波数帯域毎の同期保護タイマの計時を停止し、下り同期状態を下り周波数帯域毎の下り同期と判定する判定ステップを備えることを特徴としたものである。
【発明の効果】
【００２３】
本発明によれば、複数の周波数帯域を受信中の状態において、効率的な無線リンク同期判定を実現可能な移動局装置、基地局装置、プログラム及び記録媒体を提供することが可能となる。
【図面の簡単な説明】
【００２４】
【図１】本発明のネットワーク構成の一例を示す図である。
【図２】本発明の下りコンポーネントキャリアと、上りコンポーネントキャリアの対応関係について示した図である。
【図３】本発明の移動局装置の下り同期状態判定について示したフロー図である
【図４】本発明の移動局装置の下り同期回復判定について示した別のフロー図である
【図５】本発明における基地局装置の一例を示すブロック図である。
【図６】本発明における移動局装置の一例を示すブロック図である。
【図７】本発明の実施の形態１における、下り同期誤りの判定方法と下り同期状態の管理方法について示した図である。
【図８】本発明の実施の形態１における、下り同期誤りの判定方法と下り同期状態の管理方法について示した別の図である。
【図９】本発明の実施の形態１における、下り同期誤りの判定方法と下り同期状態の管理方法について示した別の図である。
【図１０】本発明の実施の形態２における、下り同期誤りの判定方法と下り同期状態の管理方法について示した図である。
【図１１】本発明の実施の形態３における、下り同期誤りの判定方法と下り同期状態の管理方法について示した図である。
【図１２】本発明の実施の形態４における、下り同期回復の判定方法と下り同期状態の管理方法について示した図である。
【図１３】本発明の実施の形態４における、下り同期回復の判定方法と下り同期状態の管理方法について示した別の図である。
【図１４】本発明の実施の形態４における、下り同期回復の判定方法と下り同期状態の管理方法について示した別の図である。
【図１５】本発明の実施の形態５における、下り同期回復の判定方法と下り同期状態の管理方法について示した図である。
【図１６】本発明の実施の形態６における、下り同期回復の判定方法と下り同期状態の管理方法について示した図である。
【図１７】従来の無線リンク同期判定手順について説明した図である。
【図１８】従来の無線リンク同期判定手順について説明した別の図である。
【図１９】Ｃａｒｒｉｅｒ  Ａｇｇｒｅｇａｔｉｏｎを用いた受信周波数帯域の増減について説明した図である。
【発明を実施するための形態】
【００２５】
本発明の実施形態における無線リンク同期判定、Ｃａｒｒｉｅｒ  Ａｇｇｒｅｇａｔｉｏｎ、物理チャネルについて説明する。
（１）無線リンク同期判定（Ｒａｄｉｏ  Ｌｉｎｋ  Ｍｏｎｉｔｏｒｉｎｇ）
図１７および図１８は、従来用いられている無線リンク同期判定手順の一例を示したものである。移動局装置は、受信中の下りチャネルのいずれかの品質と閾値とを比較することで下り同期状態を管理する。
【００２６】
図１７は、下りチャネルの下り同期誤り検出後に下り同期の回復も再接続も出来ずにアイドル状態（移動局装置が基地局装置と無線接続されていない状態）に遷移する場合の、移動局装置の下り同期状態の遷移を示した一例である。ここで、移動局装置は下りチャネルにおいて、品質の劣化による下り同期誤りが検出された場合、下り同期誤りが一時的なものかどうかを判定するため、下り同期状態を同期区間から誤り検出区間に遷移させる。
【００２７】
更に、誤り検出区間でも下り同期誤りが継続的に検出され、一定回数連続して下り同期誤りが検出された場合、無線リンク問題（物理レイヤ問題）が発生したと判断し、続いて下り同期状態を同期の回復を試みる同期保護区間へと状態を遷移させ、同時に同期保護区間を計時する同期保護タイマを起動する。
【００２８】
同期保護タイマが満了しても下りチャネルの品質が回復しない場合、下り同期外れに至ったと判定し、再接続を試みる再接続区間に状態を遷移し、同時に再接続区間を計時する再接続タイマを起動する。再接続区間において、移動局装置は品質の良好なセルを選択するセルリセレクション手順を繰り返し行う。セルリセレクション手順により、良好なセルを選択した移動局装置は、ランダムアクセス手順を開始し、前記良好なセルに対して再接続要求を行う。移動局装置は、前記再接続タイマによる計測が満了するまでに、再接続要求に対する許可が基地局装置から通知されなかった場合、再接続が失敗したと判定して無線リソースを解放し、基地局装置と無線接続されていないアイドル状態区間へと遷移する。
【００２９】
図１８は、下りチャネルの下り同期誤り検出後、下り同期外れとなる前に下り同期が回復する場合の移動局装置の下り同期状態の遷移を示している。下り同期状態が同期保護区間へ遷移するまでは図１７と同じである。
ここで、前記同期保護タイマが満了する前に下りチャネルの品質が回復した場合、移動局装置は下り同期状態を同期の回復待ちを行なう同期回復区間に遷移させる。同期回復区間に遷移後も一定回数連続して良好な品質が得られた場合、下り同期が回復したと判断し、状態を同期区間へ遷移させ、同期保護タイマを停止する。
【００３０】
（２）Ｃａｒｒｉｅｒ  Ａｇｇｒｅｇａｔｉｏｎ
図１９は、Ｃａｒｒｉｅｒ  Ａｇｇｒｅｇａｔｉｏｎの一例を示した図である。Ｂａｎｄ１〜Ｂａｎｄ３は、それぞれ基地局装置が送信する下りの周波数帯域（コンポーネントキャリア）を示しており、その送信帯域幅は例えば２０ＭＨｚである。なお、Ｂａｎｄ１〜Ｂａｎｄ３は連続した周波数帯域であっても、全てまたは一部が不連続となる周波数帯域であってもよい。例えば、使用可能な周波数帯域が８００ＭＨｚ帯域、２．４ＧＨｚ帯域、３．４ＧＨｚ帯域である場合、Ｂａｎｄ１が８００ＭＨｚ帯域、Ｂａｎｄ２が２ＧＨｚ帯域、Ｂａｎｄ３が３．４ＧＨｚ帯域のいずれか２０ＭＨｚの下りコンポーネントキャリアで送信されていてもよい。
【００３１】
また、同一周波数帯域、例えば２．４ＧＨｚ帯域内の連続または不連続の複数の２０ＭＨｚの下りコンポーネントキャリアで送信されていてもよい。Ｂａｎｄの数は３以上でもよい。各コンポーネントキャリアの送信帯域幅は２０ＭＨｚより狭い帯域幅であっても良く、各々異なっていても良い。ただし、移動局装置は合計で２０ＭＨｚ以上の受信帯域幅を持つ必要があり、本例では２０ＭＨｚの周波数帯域を同時に３つまで受信可能であり、その受信帯域幅の合計は６０ＭＨｚである。
【００３２】
図１９の例では、ある時間Ｔｉｍｅ１において、移動局装置はＢａｎｄ３の２０ＭＨｚを使用して基地局装置と通信を行なっており、同時にＢａｎｄ１〜Ｂａｎｄ２の測定を行なっている。また、ある別の時間Ｔｉｍｅ２において、移動局装置はＢａｎｄ２が追加され、Ｂａｎｄ２とＢａｎｄ３の合計４０ＭＨｚを使用して基地局装置と通信を行なっており、同時にＢａｎｄ１の受信品質の測定を行なっている。また、ある別の時間Ｔｉｍｅ３において、移動局装置は更にＢａｎｄ１が追加され、Ｂａｎｄ１〜Ｂａｎｄ３の合計６０ＭＨｚを使用して基地局装置と通信を行なっている。また、ある別の時間Ｔｉｍｅ４において、移動局装置はＢａｎｄ２が削除され、Ｂａｎｄ１とＢａｎｄ３の合計４０ＭＨｚを使用して基地局装置と通信を行なっており、同時にＢａｎｄ２の受信品質の測定を行なっている。
【００３３】
このように、Ｃａｒｒｉｅｒ  Ａｇｇｒｅｇａｔｉｏｎを用いることで基地局装置の構成を大きく変えることなく、データレートを大幅に向上させることが可能となる。なお、Ｔｉｍｅ１〜Ｔｉｍｅ４の時間長は可変である。通信方式としてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）を使用する場合、Ｃａｒｒｉｅｒ  Ａｇｇｒｅｇａｔｉｏｎされている各周波数帯域のＯＦＤＭシンボルタイミングが等しい必要がある。ＯＦＤＭシンボルタイミングが等しいとは、移動局装置の受信アンテナ端において各周波数帯域のＯＦＤＭシンボルの受信タイミングのずれがガードタイム以内に収まることを意味する。
【００３４】
（３）物理チャネル
ＥＵＴＲＡ及びＡｄｖａｎｃｅｄ  ＥＵＴＲＡで使用される物理チャネルは、物理報知情報チャネル、上りデータチャネル、下りデータチャネル、下り共用制御チャネル、上り共用制御チャネル、ランダムアクセスチャネル、同期シグナル、下りリファレンスシグナル、上りリファレンスシグナルなどがある。
【００３５】
物理チャネルはＥＵＴＲＡ、及びＡｄｖａｎｃｅｄ  ＥＵＴＲＡにおいて、今後追加、または、チャネル構造が変更される可能性もあるが、変更された場合でも本発明の各実施形態の説明には影響しない。
【００３６】
物理報知情報チャネル（ＰＢＣＨ：Ｐｈｙｓｉｃａｌ  Ｂｌｏａｄｃａｓｔ  Ｃｈａｎｎｅｌ）は、セル内の移動局装置で共通に用いられる制御パラメータ（報知情報）を通知する目的で送信される。物理報知情報チャネルで通知されない報知情報は、下り共用制御チャネルで送信リソースが通知され、下りデータチャネルを用いて送信される。報知情報として、システムでユニークなセルグローバルＩＤや、上り周波数帯域情報などがある。
【００３７】
下りリファレンスシグナルは、セル毎に所定の電力で送信されるパイロットシグナルである。また、下りリファレンスシグナルは、所定の時間間隔（例えば１フレーム）で周期的に繰り返される信号であり、移動局装置は、所定の時間間隔において下りリファレンスシグナルを受信し、受信品質を測定することによって、セル毎の受信品質の判断に用いる。また、下りリファレンスシグナルと同時に送信される下りデータの復調のための参照用の信号として用いる。下りリファレンスシグナルに使用される系列は、セル毎に一意に識別可能な系列であれば、任意の系列を用いても良い。なお、下りリファレンスシグナルはＤＬ−ＲＳ（Ｄｏｗｎｌｉｎｋ  Ｒｅｆｅｒｅｎｃｅ  ｓｉｇｎａｌ）と記載される場合もあるが、その用途と意味は同じである。
【００３８】
下り共用制御チャネル（ＰＤＣＣＨ：Ｐｈｙｓｉｃａｌ  Ｄｏｗｎｌｉｎｋ  Ｃｏｍｍｏｎ  Ｃｈａｎｎｅｌ）は、各サブフレームの先頭数シンボルで送信され、移動局装置に対して基地局装置のスケジューリングに従ったリソース割当て情報や、送信電力の調整量を指示する目的で使用される。移動局装置は、トラフィックデータ（ユーザデータ）や制御メッセージを送受信する前に下り共用制御チャネルを受信し、送信時には上りリソース割当てを、受信時には下りリソース割当ての情報を取得する必要がある。
【００３９】
ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）は、プリアンブル系列を送信するために使用されるチャネルであり、ガードタイムを持つ。ランダムアクセルチャネルは、上り送信タイミングが非同期状態における基地局装置へのアクセス手順として用いられ、リソース要求や上り送信タイミングの調整に用いられる。
なお、それ以外の物理チャネルは、本発明の各実施形態に関わらないため詳細な説明は省略する。
【００４０】
また、図１は、本発明のネットワーク構成の例について示した図である。
移動局装置は、Ｃａｒｒｉｅｒ  Ａｇｇｒｅｇａｔｉｏｎによって複数の周波数帯域（Ｂａｎｄ１〜Ｂａｎｄ３）で同時に通信が可能である場合、ネットワーク構成としては、ある一つの基地局装置が複数の周波数帯域毎に送信装置（受信装置）を備えている場合（Ｂａｎｄ２〜Ｂａｎｄ３）と、周波数帯域毎に一つの基地局装置が一つの送信装置（受信装置）を備えている場合（Ｂａｎｄ１）が考えられ、更にその両方が混在される場合があるが、いずれの構成であっても本実施の形態を実現する上で問題は無い。また、基地局装置は上位の制御局によって管理することも可能であるし、基地局装置間で協調制御を行うことによってＣａｒｒｉｅｒ  Ａｇｇｒｅｇｔｉｏｎを実現しても良い。
【００４１】
図２は、本発明の移動局装置がＣａｒｒｉｅｒ  Ａｇｇｒｅｇａｔｉｏｎを行なう場合に、構成される下りキャリア要素と、上りキャリア要素の対応関係の例を示した図である。下りキャリア要素ＤＬ＿ＣＣ１は上りキャリア要素ＵＬ＿ＣＣ１に対応している。すなわち、ＤＬ＿ＣＣ１で受信したデータのＡＣＫ／ＮＡＣＫや受信品質のフィードバックは、ＵＬ＿ＣＣ１のリソースを用いて送信される。また、ＵＬ＿ＣＣ２とＤＬ＿ＣＣ２のように、下りキャリア要素と上りキャリア要素とで帯域幅が異なる場合もある。また、上りキャリア要素に対し、複数の下りキャリア要素が対応する場合も可能である。図の例では、ＤＬ＿ＣＣ３とＤＬ＿ＣＣ４で受信したデータのＡＣＫ／ＮＡＣＫや受信品質のフィードバックは、どちらもＵＬ＿ＣＣ３のリソースを用いて送信される。移動局装置は、下りキャリア要素がどの基地局装置から送信されているか、上りキャリア要素がどの基地局装置で受信されるかを特に意識することなく、セルとして認識する。そして、選択したセルの報知情報から対応する上りキャリア要素の周波数帯域や帯域幅などの情報を取得する。
【００４２】
図３は、移動局装置の下り同期状態判定について示したフロー図である。移動局装置は、下り同期誤り（Ｏｕｔ−ｏｆ−Ｓｙｎｃとも呼ばれる）の検出回数をカウントするカウンタ１と、下り同期回復（Ｉｎ−ｓｙｎｃとも呼ばれる）の検出回数をカウントするカウンタ２と、同期保護区間への移行を判定する同期保護閾値とを持つ。同期保護閾値は、基地局装置より報知情報によって通知される。
【００４３】
まず、移動局装置は、下り同期状態が同期保護区間であれば（ステップＳ１−Ｙｅｓ）、Ｏｕｔ−ｏｆ−Ｓｙｎｃの判定は不要であるため、下り同期回復判定（後述の図４）へと移り（ステップＳ１０）、本フローを終了する。同期保護区間以外の場合、Ｏｕｔ−ｏｆ−Ｓｙｎｃを検出したかどうかを判断する（ステップＳ２）。Ｏｕｔ−ｏｆ−Ｓｙｎｃが未検出であれば、下り同期回復判定へと移る（ステップＳ１０）。Ｏｕｔ−ｏｆ−Ｓｙｎｃが検出された場合で、下り同期状態が誤り検出区間以外であれば、カウンタ１をインクリメントする（ステップＳ３）。同時にカウンタ２はリセットされる。更に、インクリメント後のカウンタ１が同期保護閾値に達したか否かを判定する（ステップＳ４）。カウンタ１が同期保護閾値以上の場合、無線リンク問題（物理レイヤ問題）が発生したと判断し、同期保護タイマの計時を開始する（ステップＳ５）。この場合、下り同期状態は同期保護区間となり、同時にカウンタ１はリセットされる（ステップＳ６）。
【００４４】
一方、カウンタ１が同期保護閾値未満の場合、現在の下り同期状態が同期回復区間であれば（ステップＳ７−Ｙｅｓ）、下り状態は同期保護区間となり（ステップＳ６）、それ以外（同期区間または誤り検出区間）であれば下り同期状態は誤り検出区間となる（ステップＳ８）。なお、カウンタ１をインクリメントするのではなく、デクリメントするようにし、カウンタ１がゼロとなった時点を同期保護区間の開始と判定しても良い。
【００４５】
図４は、移動局装置の下り同期状態判定について示した別のフロー図である。移動局装置は、図３におけるＯｕｔ−ｏｆ−Ｓｙｎｃが未検出の場合に本フローを開始する。まず、移動局装置は、Ｉｎ−Ｓｙｎｃを検出したかどうかを判断する（ステップＳ１１）。Ｉｎ−Ｓｙｎｃが検出された場合、カウンタ１をリセットし、更に下り同期状態が誤り検出区間であれば（ステップＳ１２）、下り同期状態を同期区間と判定して処理を終了する（ステップＳ１６）。下り同期状態が同期保護区間または同期回復区間であれば、カウンタ２をインクリメントする（ステップＳ１３）。
【００４６】
更に、インクリメント後のカウンタ２が同期回復閾値に達したか否かを判定する（ステップＳ１４）。カウンタ２が同期回復閾値以上の場合、無線リンク回復（Ｒａｄｉｏ  Ｌｉｎｋ  Ｒｅｃｏｖｅｒｙ）と判断し、同期保護タイマを停止する（ステップＳ１５）。この場合、下り同期状態は同期区間となる（ステップＳ１６）。一方、カウンタ２が同期回復閾値未満の場合、下り同期状態は同期回復区間となる（ステップＳ１７）。フローの開始に戻り、Ｉｎ−Ｓｙｎｃが検出されない場合は、現在の下り同期状態を継続されると判定して処理を終了する。なお、カウンタ２をインクリメントするのではなく、デクリメントするようにし、カウンタ２がゼロとなった時点を同期区間の開始と判定しても良い。
【００４７】
実施の形態１から実施の形態３は、以上に説明したＯｕｔ−ｏｆ−Ｓｙｎｃの判定方法と移動局装置の下り同期状態の遷移方法について示したものである。また、実施の形態４から実施の形態６は、以上に説明したＩｎ−Ｓｙｎｃの判定方法と移動局装置の下り同期状態の遷移方法について示したものである。
【００４８】
また、移動局装置は、実施の形態１または実施の形態２のＯｕｔ−ｏｆ−Ｓｙｎｃの判定方法と、実施の形態４または実施の形態５のＩｎ−Ｓｙｎｃの判定方法とを組み合わせた無線リンク同期判定方法を用いることが可能である。また、移動局装置は、実施の形態３のＯｕｔ−ｏｆ−Ｓｙｎｃの判定方法と、実施の形態６のＩｎ−Ｓｙｎｃの判定方法とを組み合わせた無線リンク同期判定方法を用いることが可能である。
以上の事項を考慮しつつ、以下、本発明の実施の形態について具体的に説明する。
【００４９】
（実施の形態１）
本発明の実施の形態１について以下に説明する。
本実施形態は、移動局装置が、下り同期誤りの検出に関し、受信するコンポーネントキャリアの数に関係なく下り同期状態を一つだけ管理する方法について示す。
図５は、本発明の実施の形態１による基地局装置の一例を示すブロック図である。本基地局装置１００は、受信部１０１、復調部１０２、復号部１０３、上位レイヤ１０４、符号部１０５、変調部１０６、参照信号生成部１０７、多重部１０８、送信部１０９、制御部１１０から構成される。
【００５０】
上位レイヤ１０４は、コンポーネントキャリア（ＣＣ）毎にトラフィックデータと制御信号を符号部１０５へ入力する。符号部１０５は、入力されたデータを符号化し、変調部１０６へ入力する。変調部１０６は、符号化した信号の変調を行なう。また、符号部１０５から出力される信号と参照信号生成部１０７で生成される下りリファレンスシグナルは、多重部１０８にて周波数領域にマッピングされる。各コンポーネントキャリアの多重部１０８からの出力信号は、送信部１０９に入力される。送信部１０９は、周波数領域の信号を時間領域の信号へ変換し、既定の周波数の搬送波にのせて電力増幅を行い送信される。
【００５１】
また、受信部１０１は、移動局装置から受信した信号をベースバンドのデジタル信号に変換してコンポーネントキャリア毎に信号を分離する。コンポーネントキャリア毎の信号は、それぞれ復調部１０２へ入力されて復調される。復調部１０２で復調された信号は続いて復号部１０３へ入力されて復号され、正しく復号された制御データやトラフィックデータを上位レイヤ１０４へと出力する。これら各ブロックの制御に必要な制御情報は、上位レイヤ１０４より制御部１１０へ入力され、制御部１１０より送信に関連する制御情報は送信制御情報として、符号部１０５、変調部１０６、参照信号生成部１０７、多重部１０８、送信部１０９の各ブロックに、受信に関連する制御情報は受信制御情報として、受信部１０１、復調部１０２、復号部１０３の各ブロックに適切に入力される。
図５において、その他の基地局装置１００の構成要素は本実施の形態に関係ないため省略してある。
【００５２】
図６は、本発明の実施の形態１による移動局装置の一例を示すブロック図である。本移動局装置２００は、受信部２０１、復調部２０２、復号部２０３、測定処理部２０４、下りリンク同期処理部２０５、ランダムアクセス生成部２０７、符号部２０８、変調部２０９、送信部２１０、送信帯域設定部２１１から構成される。受信に先立ち、上位レイヤ２０６より制御部２１２へ制御情報が入力され、受信に関する制御情報が受信制御情報として、受信部２０１、復調部２０２、復号部２０３へ適切に入力される。受信制御情報は、受信周波数帯域の情報の他に、各チャネルに関する受信タイミング、多重方法、リソース配置情報などの情報が含まれている。
【００５３】
受信信号（基地局装置１００からの送信信号）は、受信部２０１において受信される。受信部２０１は、受信制御情報で指定された周波数帯域で信号を受信する。受信された信号は、更にコンポーネントキャリア毎に用意される復調部２０２へと入力される。復調部２０２は、コンポーネントキャリア毎に受信信号の復調を行い、復号部２０３へと信号を入力してトラフィックデータと下り制御データとを正しく復号し、復号された各データを上位レイヤ２０６へと入力する。このとき、下り制御データは測定処理部２０４にも入力される。測定処理部２０４は、セル毎の下りリファレンスシグナルの受信品質や、下り共用制御チャネルまたは下りデータチャネルの受信誤り率を測定結果に基づいて計算し、上位レイヤ２０６へと出力する。
【００５４】
更に、前記測定情報は、下りリンク同期処理部２０５へと入力される。下りリンク同期処理部２０５は、入力された測定情報と事前に指定された少なくとも２つの閾値と比較し、Ｏｕｔ−ｏｆ−ＳｙｎｃまたはＩｎ−Ｓｙｎｃの判定を行なう。どちらでも無いという判定も存在する。そして、前記判定結果を上位レイヤへと入力する。上位レイヤは、前記判定結果をカウントすることで移動局装置２００の下り同期状態を管理し、前記下り同期状態に基づいて無線リンク同期判定を行なう。下りリンク同期処理部２０５で判定されるＯｕｔ−ｏｆ−ＳｙｎｃまたはＩｎ−Ｓｙｎｃの判定は、実施の形態によって各々異なることに注意する。
【００５５】
また、送信に先立ち、上位レイヤ２０６より制御部２１２へ制御情報が入力され、送信に関する制御情報が送信制御情報として、ランダムアクセス生成部２０７、符号部２０８、変調部２０９、送信帯域設定部２１１へ適切に入力される。送信制御情報は、送信信号の上りスケジューリング情報として、符号情報、変調情報、送信周波数帯域の情報、各チャネルに関する送信タイミング、多重方法、リソース配置情報などの情報が含まれている。ランダムアクセス情報はランダムアクセス生成部に入力され、ランダムアクセスデータが生成される。ランダムアクセス情報には、プリアンブル情報や送信リソース情報、下り同期外れ直前に通信していたセルＩＤ情報などが含まれる。
【００５６】
上位レイヤ２０６は、下り同期外れと判定された後、適切なセルを再選択（セルリセレクション）したときにランダムアクセス情報をランダムアクセス生成部２０７に入力する。符号部２０８には、前記ランダムアクセスデータのほか、上位レイヤ２０６より上りデータと上り制御データとが入力される。符号部２０８は送信制御情報に従い、各データを適切に符号化し、変調部２０９に出力する。変調部２０９は、符号部２０８からの出力を変調する。送信帯域設定部２１１は、各送信部２１０に対して送信する周波数帯域を設定する。送信部２１０は、変調部２０９の出力を周波数領域にマッピングすると共に、周波数領域の信号を時間領域の信号へ変換し、既定の周波数の搬送波にのせて電力増幅を行い送信する。
なお、受信部２０１の数は、当該移動局装置２００が同時に受信可能な周波数帯域の数と同数を備える構成であっても良い。その場合、同時に使用されない受信部２０１が存在しても良い。また、符号部２０８と変調部２０９はコンポーネントキャリア毎に用意されても良い。送信部２１０の数は、当該移動局装置２００が同時に送信可能な周波数帯域の数と同数を備える構成であっても良い。
図６において、その他の移動局装置２００の構成要素は本実施の形態に関係ないため省略してある。
また、ネットワーク構成および周波数帯域の対応関係は、それぞれ図１と図２に示したものと同様のものを適用できる。
【００５７】
本実施の形態における移動局装置２００は、下り同期状態を一つしか持たないため、パラメータ（同期保護閾値と同期保護タイマ）がコンポーネントキャリア毎に異なる場合について考慮する必要がある。コンポーネントキャリア毎に同期保護閾値と同期保護タイマが異なる場合、（１）新規に追加されたコンポーネントキャリアの値を優先して使用する、（２）優先して使用するコンポーネントキャリアの値を基地局装置１００が通知する、（３）コンポーネントキャリアの値を無視し、基地局装置１００から個別に通知された新規の値を使用する、（４）それぞれ値が大きいもの（または小さいもの）を選択して使用する、などの方法がある。２と３の方法は、コンポーネントキャリアの追加（変更）のための制御メッセージ（ＲＲＣメッセージ）を用いて基地局装置１００から移動局装置２００に値が通知される。
【００５８】
Ｃａｒｒｉｅｒ  Ａｇｇｒｅｇａｔｉｏｎによって、複数の下り周波数帯域（コンポーネントキャリア）を受信している移動局装置２００の無線リンク同期判定方法に関し、図３に示した下り同期判定を行なうために必要なＯｕｔ−ｏｆ−Ｓｙｎｃの検出方法について、図７〜図９を用いて説明する。図７〜図９において、品質Ａは閾値１よりも受信品質が良好な状態を示し、逆に品質Ｂは閾値１よりも受信品質が劣悪な状態を示している。品質Ａと品質Ｂを判定するための閾値１（Ｑｏｕｔとも呼ばれる）は、移動局装置２００が任意に決定し、更にコンポーネントキャリア毎に異なる閾値１を設定することも可能である。閾値1（Ｑｏｕｔ）は、下り同期誤りを判定するための本発明の下り同期誤り判定用閾値に該当するものである。以下の各実施例においても同様とする。
【００５９】
Ｑｏｕｔは、例えば下り共用制御チャネルの受信誤り率（ＢＥＲ（Ｂｉｔ  Ｅｒｒｏｒ  Ｒａｔｅ）、ＢＬＥＲ（Ｂｌｏｃｋ  Ｅｒｒｏｒ  Ｒａｔｅ））から判定しても良いし、下りリファレンスシグナルの受信品質（ＥＵＴＲＡ  Ｃａｒｒｉｅｒ  ＲＳＳＩ（Ｒｅｃｅｉｖｅｄ  Ｓｉｇｎａｌ  Ｓｔｒｅｎｇｔｈ  Ｉｎｄｉｃａｔｏｒ）、ＲＳＲＰ（Ｒｅｆｅｒｅｎｃｅ  Ｓｉｇｎａｌ  Ｒｅｃｅｉｖｅｄ  Ｐｏｗｅｒ）、ＲＳＲＱ（Ｒｅｆｅｒｅｎｃｅ  Ｓｉｇｎａｌ  Ｒｅｃｅｉｖｅｄ  Ｑｕａｌｉｔｙ）、パスロスから判定しても良い。Ｑｏｕｔと比較する受信品質は、Ｏｕｔ−ｏｆ−Ｓｙｎｃの検出精度を向上させるために、瞬時値を用いるのではなく、複数の測定値を平均化した値を用いることが望ましい。
【００６０】
図７は、Ｃａｒｒｉｅｒ  Ａｇｇｒｅｇａｔｉｏｎによって複数の下り周波数帯域を受信している移動局装置２００において、コンポーネントキャリア毎に受信品質を測定し、前記コンポーネントキャリア毎の受信品質を総合的に判断して下り同期状態を管理する方法を示す。図中のＤＬ＿ＣＣ１とＤＬ＿ＣＣ２は、移動局装置２００が受信する異なるコンポーネントキャリアを示している。
【００６１】
移動局装置２００は、受信している全てのコンポーネントキャリアの受信品質が閾値１（Ｑｏｕｔ）を下回ったときに下り同期誤りと判定し、下り同期状態を誤り検出区間に遷移させる。移動局装置２００は、下り同期誤りが所定回数連続して判定された場合、下り同期状態を同期保護区間へと遷移させ、受信している全てのコンポーネントキャリアに対応する上りコンポーネントキャリアでの送信を停止すると共に同時に下り同期保護タイマを開始する。移動局装置２００は下り同期保護タイマの満了までに下り同期が回復しない場合、下り同期外れと判定し、個別に指定されていた無線リソースを解放した後にセルリセレクションを開始する。
図７の例では、移動局装置２００は各コンポーネントキャリア（ＤＬ＿ＣＣ１、ＤＬ＿ＣＣ２）の受信品質と閾値１（Ｑｏｕｔ）を個別に比較し、ＤＬ＿ＣＣ１とＤＬ＿ＣＣ２が共に品質Ｂとなったときに下り同期誤りを判定する。
【００６２】
図８は、図７の変形例であり、Ｃａｒｒｉｅｒ  Ａｇｇｒｅｇａｔｉｏｎによって複数の下り周波数帯域を受信している移動局装置２００において、コンポーネントキャリア毎に受信品質を測定し、前記コンポーネントキャリアのいずれかの受信品質に基づいて下り同期状態を管理する方法を示す。図中のＤＬ＿ＣＣ１とＤＬ＿ＣＣ２は、移動局装置２００が受信する異なるコンポーネントキャリアを示している。移動局装置２００は、受信しているいずれかのコンポーネントキャリアの受信品質が閾値１（Ｑｏｕｔ）を下回ったときに下り同期誤りと判定し、下り同期状態を誤り検出区間に遷移させる。
【００６３】
移動局装置２００は、下り同期誤りが所定回数連続して判定された場合、下り同期状態を同期保護区間へと遷移させ、同時に下り同期保護タイマを開始し、更に受信している全てのコンポーネントキャリアに対応する上りコンポーネントキャリアでの送信を停止する。移動局装置２００は下り同期保護タイマの満了までに下り同期が回復しない場合、下り同期外れと判定し、個別に指定されていた無線リソースを解放した後にセルリセレクションを開始する。
図８の例では、移動局装置２００は各コンポーネントキャリア（ＤＬ＿ＣＣ１、ＤＬ＿ＣＣ２）の受信品質と閾値１（Ｑｏｕｔ）を個別に比較し、ＤＬ＿ＣＣ１が品質Ｂとなったときに下り同期誤りを判定する。ＤＬ＿ＣＣ２はＤＬ＿ＣＣ１が品質Ｂであるため、品質Ａになっても下り同期状態の判定には影響しない。
【００６４】
図９は、図７の別の変形例であり、Ｃａｒｒｉｅｒ  Ａｇｇｒｅｇａｔｉｏｎによって複数の下り周波数帯域を受信している移動局装置２００において、コンポーネントキャリア毎に受信品質を測定し、前記コンポーネントキャリアのうち、直近の受信品質の変動に基づいて下り同期状態を管理する方法を示す。図中のＤＬ＿ＣＣ１とＤＬ＿ＣＣ２は、移動局装置２００が受信する異なるコンポーネントキャリアを示している。移動局装置２００は、受信しているいずれかのコンポーネントキャリアの受信品質が閾値１（Ｑｏｕｔ）を下回ったときに下り同期誤りと判定し、下り同期状態を誤り検出区間に遷移させる。
【００６５】
移動局装置２００は、下り同期誤りが所定回数連続して判定された場合、下り同期状態を同期保護区間へと遷移させ、同時に下り同期保護タイマを開始し、更に受信している全てのコンポーネントキャリアに対応する上りコンポーネントキャリアでの送信を停止する。移動局装置２００は下り同期保護タイマの満了までに下り同期が回復しない場合、下り同期外れと判定し、個別に指定されていた無線リソースを解放した後にセルリセレクションを開始する。更に、移動局装置２００は誤り検出区間中または同期保護区間中に、別のコンポーネントキャリアの受信品質が閾値１（Ｑｏｕｔ）を下回ったときに、それまでの下り同期誤りの検出数をリセットする。
図９の例では、移動局装置２００は各コンポーネントキャリア（ＤＬ＿ＣＣ１、ＤＬ＿ＣＣ２）の受信品質と閾値１（Ｑｏｕｔ）を個別に比較し、ＤＬ＿ＣＣ１が品質Ｂとなったときに下り同期誤りを判定する。また、下り同期外れと判定される前に別のコンポーネントキャリア（図９ではＤＬ＿ＣＣ２）が品質Ｂとなったときには、再び下り同期状態を誤り検出区間に遷移させる。
なお、移動局装置２００は、Ｃａｒｒｉｅｒ  Ａｇｇｒｅｇａｔｉｏｎ状態でない場合、従来の下り同期誤り判定をそのまま適用することが可能である。
【００６６】
下り同期外れと判定され、下り同期状態が再接続区間にある移動局装置２００は、セルリセレクションの後に再接続要求のためにランダムアクセス手順を開始し、セルリセレクションで選択された基地局装置１００に対してランダムアクセスチャネルを送信する。前記基地局装置１００よりランダムアクセスチャネルの応答を受信した移動局装置２００は、続いて中断していたデータの受信を再開するために、下り同期外れ前に通信していた基地局装置１００のセルＩＤと、自分自身の移動局装置ＩＤ（Ｃ−ＲＮＴＩ、Ｃｅｌｌ−Ｒａｄｉｏ  Ｎｅｔｗｏｒｋ  Ｔｅｍｐｏｒａｒｙ  Ｉｄｅｎｔｉｆｉｅｒとも呼ばれる）をセルリセレクションで選択した基地局装置１００に送信する。移動局装置２００が送信するセルＩＤは、（１）全てのコンポーネントキャリアのセルＩＤ、（２）コンポーネントキャリアのセルＩＤから任意に一つ選択、（３）報知情報で指定される最も優先度の高いコンポーネントキャリアのセルＩＤ、（４）Ｃａｒｒｉｅｒ  Ａｇｇｒｅｇａｔｉｏｎ中の移動局装置２００に新規に割り振られるセルＩＤ（Ｃａｒｒｉｅｒ  Ａｇｇｒｅｇａｔｉｏｎ  ＩＤ）、のいずれかを用いることが出来る。
【００６７】
また、移動局装置２００が送信する移動局装置ＩＤは、前記１〜４で送信するコンポーネントキャリアのセルＩＤで割り振られた移動局装置ＩＤを送信する。すなわち、全てのコンポーネントキャリアのセルＩＤを送信する前記１の方法であれば、コンポーネントキャリア数に等しい移動局装置ＩＤを送信する必要がある。なお、全てのコンポーネントキャリアで同じ移動局装置ＩＤが割り振られることもありえる。
【００６８】
基地局装置１００は、前記セルＩＤと移動局装置ＩＤから下り同期外れが発生することで中断されていた前記移動局装置宛のデータを判断し、前記中断していたデータ送信を前記移動局装置２００に対して再開する。
【００６９】
本実施の形態により、移動局装置２００は、Ｃａｒｒｉｅｒ  Ａｇｇｒｅｇａｔｉｏｎ中であっても、下り同期状態をコンポーネントキャリア毎に管理する必要がなくなるため、制御の簡略化が図られ、消費電力が低減される。更に、移動局装置２００はＣａｒｒｉｅｒ  Ａｇｇｒｅｇａｔｉｏｎ中の場合と、Ｃａｒｒｉｅｒ  Ａｇｇｒｅｇａｔｉｏｎ中でない場合の両方において、下り同期誤り判定の制御を共通化することが可能となり、ハードウェア回路規模またはソフトウェアが使用するメモリ容量の増加を抑制できる。
【００７０】
（実施の形態２）
実施の形態１では、移動局装置２００が下り同期誤りの検出に関し、受信するコンポーネントキャリアに関係なく下り同期状態を一つだけ管理する方法について示した。しかしながら、移動局装置２００は下り同期誤りを判定するために受信している全てコンポーネントキャリアの受信品質を判定し、その結果を総合的に判断する必要があった。そこで、実施の形態２に係わる移動局装置２００は、ある一つのコンポーネントキャリアのみの受信品質に基づいて下り同期状態を管理する方法について示す。
本実施の形態に用いる基地局装置１００は図５と同じで良い。また、移動局装置２００は図６と同じでよい。また、ネットワーク構成および周波数帯域の対応関係は、それぞれ図１と図２に示したものと同様のものを適用できる。
【００７１】
図１０は、Ｃａｒｒｉｅｒ  Ａｇｇｒｅｇａｔｉｏｎによって複数の下り周波数帯域を受信している移動局装置２００において、後述するいずれかの方法に基づいて決定された一つのコンポーネントキャリア（以後、マスターコンポーネントキャリアと称する）の受信品質を測定し、マスターコンポーネントキャリアの受信品質に基づいて下り同期状態を管理する方法を示す。すなわち、移動局装置２００は、マスターコンポーネントキャリアに対して図３に示す下り同期状態判定を行なう必要がある。図中のＭａｓｔｅｒ  ＤＬ＿ＣＣは、移動局装置２００が受信するマスターコンポーネントキャリアを示している。また、図に示す品質Ａと品質Ｂは実施の形態１と同じ意味であるため説明を省略する。
【００７２】
移動局装置２００は、マスターコンポーネントキャリアの受信品質が閾値１（Ｑｏｕｔ）を下回ったときに下り同期誤りと判定し、下り同期状態を誤り検出区間に遷移させる。移動局装置２００は、下り同期誤りが所定回数連続して判定された場合、下り同期状態を同期保護区間へと遷移させ、同時に下り同期保護タイマを開始し、更に受信している全てのコンポーネントキャリアに対応する上りコンポーネントキャリアでの送信を停止する。移動局装置２００は下り同期保護タイマの満了までにコンポーネントキャリアの下り同期が回復しない場合、下り同期外れと判定し、個別に指定されていた無線リソースを解放した後にセルリセレクションを開始する。
【００７３】
図１０の例では、移動局装置２００はマスターコンポーネントキャリア（Ｍａｓｔｅｒ  ＤＬ＿ＣＣ）の受信品質と閾値１（Ｑｏｕｔ）を比較し、マスターコンポーネントキャリアが品質Ｂとなったときに下り同期誤りを判定する。
なお、移動局装置２００は、Ｃａｒｒｉｅｒ  Ａｇｇｒｅｇａｔｉｏｎ状態でない場合、従来の下り同期誤り判定をそのまま適用することが可能である。
【００７４】
移動局装置２００がマスターコンポーネントキャリアを決定する方法として、（１）基地局装置１００がＲＲＣメッセージを用いて移動局装置２００に対して個別に指定する、（２）報知情報に含まれるコンポーネントキャリアの優先度が最も高いものを選択する、（３）最も古い（受信時間が長い）コンポーネントキャリアを選択する、（４）最も新しい（受信時間が短い）コンポーネントキャリアを選択する、がある。また、移動局装置２００が受信しているコンポーネントキャリアのうち、任意のコンポーネントキャリアを移動局装置２００の判断で選択しても良い。例えば、移動局装置２００は受信品質がある閾値よりも一定時間以上高いコンポーネントキャリアのうち、最良の受信品質のコンポーネントキャリアを選択しても良い。
【００７５】
下り同期外れと判定され、下り同期状態が再接続区間にある移動局装置２００は、セルリセレクションの後に再接続要求のためにランダムアクセス手順を開始し、セルリセレクションで選択された基地局装置１００に対してランダムアクセスチャネルを送信する。前記基地局装置１００よりランダムアクセスチャネルの応答を受信した移動局装置２００は、続いて中断していたデータの受信を再開するために、下り同期外れ前に通信していた基地局装置１００のセルＩＤと、自分自身の移動局装置ＩＤをセルリセレクションで選択した基地局装置１００に送信する。移動局装置２００が送信するセルＩＤは、（１）全てのコンポーネントキャリアのセルＩＤ、（２）コンポーネントキャリアのセルＩＤから任意に一つ選択、（３）報知情報で指定される最も優先度の高いコンポーネントキャリアのセルＩＤ、（４）Ｃａｒｒｉｅｒ  Ａｇｇｒｅｇａｔｉｏｎ中の移動局装置２００に新規に割り振られるセルＩＤ（Ｃａｒｒｉｅｒ  Ａｇｇｒｅｇａｔｉｏｎ  ＩＤ）、（５）マスターコンポーネントキャリアのセルＩＤ、のいずれかの方法を用いることが出来る。
【００７６】
また、移動局装置２００が送信する移動局装置ＩＤは、前記１〜５で送信するコンポーネントキャリアのセルＩＤで割り振られた移動局装置ＩＤを送信する。すなわち、全てのコンポーネントキャリアのセルＩＤを送信する前記１の方法であれば、移動局装置２００はコンポーネントキャリア数に等しい移動局装置ＩＤをセルリセレクションで選択した基地局装置１００へ送信する。なお、全てのコンポーネントキャリアで同じ移動局装置ＩＤが割り振られることもありえる。
【００７７】
基地局装置１００は、前記セルＩＤと移動局装置ＩＤから下り同期外れが発生することで中断されていた前記移動局装置宛のデータを判断し、前記中断していたデータ送信を前記移動局装置２００に対して再開する。
【００７８】
本実施の形態により、移動局装置２００は、Ｃａｒｒｉｅｒ  Ａｇｇｒｅｇａｔｉｏｎ中の下り同期状態をマスターコンポーネントキャリアのみ管理することが可能となり、実施の形態１の効果に加え、コンポーネントキャリア毎に下り同期誤り判定に関するパラメータが個別に指定された場合でも従来と同じ制御を用いることが可能となり、より一層の制御の簡略化が図られ、消費電力が低減される。
【００７９】
（実施の形態３）
実施の形態１または実施の形態２では、移動局装置２００が下り同期誤りの検出に関し、受信するコンポーネントキャリアに関係なく下り同期状態を一つだけ管理する方法について示した。しかしながら、コンポーネントキャリアの伝播特性が大きく異なる場合、移動局装置２００は下り同期状態をコンポーネントキャリア毎に複数管理する方が良い場合がありえる。そこで、実施の形態３では、移動局装置２００がコンポーネントキャリア毎に下り同期状態を管理する方法について示す。
【００８０】
本実施の形態に用いる基地局装置１００は図５と同じで良い。また、移動局装置２００は図６と同じでよい。また、ネットワーク構成および周波数帯域の対応関係は、それぞれ図１と図２に示したものと同様のものを適用できる。移動局装置２００は、コンポーネントキャリア毎の下り同期状態を示すＣＣ下り同期状態を、受信しているコンポーネントキャリアと同じ数だけ管理する。
【００８１】
図１１は、Ｃａｒｒｉｅｒ  Ａｇｇｒｅｇａｔｉｏｎによって複数の下り周波数帯域を受信している移動局装置２００において、移動局装置２００がコンポーネントキャリア毎に受信品質を測定し、前記コンポーネントキャリア毎にＣＣ下り同期状態を管理し、更に、ＣＣ下り同期状態に基づいて下り同期状態を管理する方法を示す。すなわち、移動局装置２００は、複数のコンポーネントキャリアに対して図３に示す下り同期状態判定を個別に行なう必要がある。図中のＤＬ＿ＣＣ１とＤＬ＿ＣＣ２は、移動局装置２００が受信する異なるコンポーネントキャリアを示している。また、ＣＣ１下り同期状態は、ＤＬ＿ＣＣ１の受信品質に対応する下り同期状態であり、ＣＣ２下り同期状態は、ＤＬ＿ＣＣ２の受信品質に対応する下り同期状態である。また、図に示す品質Ａと品質Ｂは実施の形態１と同じ意味であるため説明を省略する。
【００８２】
移動局装置２００は、受信しているコンポーネントキャリアの受信品質が閾値１（Ｑｏｕｔ）を下回ったときに下り同期誤りと判定し、対応するＣＣ下り同期状態を誤り検出区間に遷移させる。移動局装置２００は、下り同期誤りが所定回数連続して判定された場合、対応するＣＣ下り同期状態を同期保護区間へと遷移させ、同時に対応する下り同期保護タイマを開始し、更にＣＣ下り同期状態を同期保護区間へ遷移したコンポーネントキャリアに対応する上りコンポーネントキャリアでの送信を停止する。ただし、移動局装置２００が前記上りコンポーネントキャリアに対応する別のコンポーネントキャリアを受信している場合は、前記別のコンポーネントキャリアのＣＣ下り同期状態が全て同期保護区間に遷移するまで送信を停止しないでよい。移動局装置２００は、下り同期保護タイマの満了までに対応するコンポーネントキャリアの下り同期が回復しない場合、当該コンポーネントキャリアをＣＣ同期外れと判定し、下り同期状態をＣＣ同期外れ区間へと遷移させる。ここで、移動局装置２００は、全てのＣＣ下り同期状態がＣＣ同期外れ区間となったときに、下り同期外れと判定し、個別に指定されていた無線リソースを解放した後にセルリセレクションを開始する。
【００８３】
図１１の例では、移動局装置２００は各コンポーネントキャリア（ＤＬ＿ＣＣ１、ＤＬ＿ＣＣ２）の受信品質と閾値１（Ｑｏｕｔ）を個別に比較し、各コンポーネントキャリアが品質Ｂとなったときにコンポーネントキャリア毎に下り同期誤りを判定する。移動局装置２００は、ＣＣ１下り同期状態がＣＣ同期外れとなっても下り同期外れとは判定せず、ＣＣ１下り同期状態がＣＣ同期外れ区間に遷移した後、ＣＣ２下り同期状態がＣＣ同期外れ区間に遷移したときに、下り同期外れと判定する。
なお、移動局装置２００は、Ｃａｒｒｉｅｒ  Ａｇｇｒｅｇａｔｉｏｎ状態でない場合、従来の下り同期誤り判定をそのまま適用することが可能である。
【００８４】
ここで、移動局装置２００は、ＣＣ同期外れと判定される前のコンポーネントキャリアの受信品質を同周波数測定として測定していた場合、ＣＣ同期外れ後は他周波数測定とみなして継続する。すなわち、移動局装置２００はＣＣ同期外れの前後でコンポーネントキャリアに適用するオフセット値を、同周波数測定用のオフセット値から他周波数測定用のオフセット値へ変更する。
【００８５】
下り同期外れと判定され、下り同期状態が再接続区間にある移動局装置２００は、セルリセレクションの後に再接続要求のためにランダムアクセス手順を開始し、セルリセレクションで選択された基地局装置１００に対してランダムアクセスチャネルを送信する。前記基地局装置１００よりランダムアクセスチャネルの応答を受信した移動局装置２００は、続いて中断していたデータの受信を再開するために、下り同期外れ前に通信していた基地局装置１００のセルＩＤと、自分自身の移動局装置ＩＤをセルリセレクションで選択した基地局装置１００に送信する。移動局装置２００が送信するセルＩＤは、（１）全てのコンポーネントキャリアのセルＩＤ、（２）コンポーネントキャリアのセルＩＤから任意に一つ選択、（３）報知情報で指定される最も優先度の高いコンポーネントキャリアのセルＩＤ、（４）Ｃａｒｒｉｅｒ  Ａｇｇｒｅｇａｔｉｏｎ中の移動局装置２００に新規に割り振られるセルＩＤ（Ｃａｒｒｉｅｒ  Ａｇｇｒｅｇａｔｉｏｎ  ＩＤ）、のいずれかを用いることが出来る。
【００８６】
また、移動局装置２００が送信する移動局装置ＩＤは、前記１〜４で送信するコンポーネントキャリアのセルＩＤで割り振られた移動局装置ＩＤを送信する。すなわち、全てのコンポーネントキャリアのセルＩＤを送信する前記１の方法であれば、移動局装置２００はコンポーネントキャリア数に等しい移動局装置ＩＤをセルリセレクションで選択した基地局装置１００へ送信する。なお、移動局装置２００は全てのコンポーネントキャリアで同じ移動局装置ＩＤが割り振られることもありえる。
基地局装置１００は、前記セルＩＤと移動局装置ＩＤから下り同期外れが発生することで中断されていた前記移動局装置宛のデータを判断し、前記中断していたデータ送信を前記移動局装置２００に対して再開する。
【００８７】
本実施の形態により、移動局装置２００は、Ｃａｒｒｉｅｒ  Ａｇｇｒｅｇａｔｉｏｎ中の下り同期状態をコンポーネントキャリア毎に管理することで、基地局装置１００がコンポーネントキャリア毎に最適な下り同期誤り判定の制御を行うことが可能となり、不要な下り同期外れの発生を抑制できるため、通信品質が向上する。
【００８８】
（実施の形態４）
本発明の実施の形態４について以下に説明する。
本実施形態では、移動局装置２００が、下り同期回復の検出に関し、受信するコンポーネントキャリアの数に関係なく下り同期状態を一つだけ管理する方法について示す。実施の形態４は、実施の形態１または実施の形態２の下り同期誤り判定と組み合わせることが好適であるが、他の下り同期判定と組み合わせることも可能である。
本実施の形態に用いる基地局装置１００は図５と同じで良い。また、移動局装置２００は図６と同じでよい。また、ネットワーク構成および周波数帯域の対応関係は、それぞれ図１と図２に示したものと同様のものを適用できる。
【００８９】
本実施の形態における移動局装置２００は、下り同期状態を一つしか持たないため、パラメータ（同期保護閾値と同期保護タイマ）がコンポーネントキャリア毎に異なる場合について考慮する必要がある。コンポーネントキャリア毎に同期保護閾値と同期保護タイマが異なる場合のパラメータの決定方法は実施の形態１の方法のいずれかを用いる。
【００９０】
Ｃａｒｒｉｅｒ  Ａｇｇｒｅｇａｔｉｏｎによって、複数の下り周波数帯域（コンポーネントキャリア）を受信している移動局装置２００の無線リンク同期判定方法に関し、下り同期回復（Ｉｎ−Ｓｙｎｃとも呼ばれる）を判定する方法について、図１２〜図１４を用いて説明する。図１２〜図１４において、品質Ｃは閾値２よりも受信品質が劣悪な状態を示し、逆に品質Ｄは閾値２よりも受信品質が良好な状態を示している。品質Ｃと品質Ｄを判定するための閾値２（Ｑｉｎとも呼ばれる）は、移動局装置２００が任意に決定し、更にコンポーネントキャリア毎に異なる閾値２を設定することも可能である。閾値２（Ｑｉｎ）は、下り同期回復を判定するための本発明の下り同期回復判定用閾値に該当するものである。以下の各実施例においても同様とする。
【００９１】
Ｑｉｎは、例えば下り共用制御チャネルの受信誤り率（ＢＥＲ（Ｂｉｔ  Ｅｒｒｏｒ  Ｒａｔｅ）、ＢＬＥＲ（Ｂｌｏｃｋ  Ｅｒｒｏｒ  Ｒａｔｅ））から判定しても良いし、下りリファレンスシグナルの受信品質（ＥＵＴＲＡ  Ｃａｒｒｉｅｒ  ＲＳＳＩ（Ｒｅｃｅｉｖｅｄ  Ｓｉｇｎａｌ  Ｓｔｒｅｎｇｔｈ  Ｉｎｄｉｃａｔｏｒ）、ＲＳＲＰ（Ｒｅｆｅｒｅｎｃｅ  Ｓｉｇｎａｌ  Ｒｅｃｅｉｖｅｄ  Ｐｏｗｅｒ）、ＲＳＲＱ（Ｒｅｆｅｒｅｎｃｅ  Ｓｉｇｎａｌ  Ｒｅｃｅｉｖｅｄ  Ｑｕａｌｉｔｙ）、パスロスから判定しても良い。なお、ＱｉｎはＱｏｕｔ以上の値を設定する必要があり、Ｑｏｕｔ未満の値を設定してはならない。Ｑｉｎと比較する受信品質は、Ｉｎ−Ｓｙｎｃの検出精度を向上させるために、瞬時値を用いるのではなく、複数の測定値を平均化した値を用いることが望ましい。
【００９２】
図１２は、Ｃａｒｒｉｅｒ  Ａｇｇｒｅｇａｔｉｏｎによって複数の下り周波数帯域を受信している移動局装置２００において、コンポーネントキャリア毎に受信品質を測定し、前記コンポーネントキャリアのいずれかの受信品質に基づいて下り同期状態を管理する方法を示す。図中のＤＬ＿ＣＣ１とＤＬ＿ＣＣ２は、移動局装置２００が受信する異なるコンポーネントキャリアを示している。移動局装置２００は、受信しているいずれかのコンポーネントキャリアの受信品質が閾値２（Ｑｉｎ）を上回ったときに下り同期回復と判定し、下り同期状態を同期回復区間に遷移させる。移動局装置２００は、下り同期回復が所定回数連続して判定された場合、下り同期状態を同期区間へと遷移させ、同時に下り同期保護タイマを停止し、上りコンポーネントキャリアへの送信の停止を解除する。
【００９３】
図１２の例では、移動局装置２００は各コンポーネントキャリア（ＤＬ＿ＣＣ１、ＤＬ＿ＣＣ２）の受信品質と閾値２（Ｑｉｎ）を個別に比較し、ＤＬ＿ＣＣ１が品質Ｄとなったときに下り同期回復を判定する。ＤＬ＿ＣＣ２はＤＬ＿ＣＣ１が品質Ｄであるため、品質Ｄになっても下り同期状態の判定には影響しない。
【００９４】
図１３は、図１２の変形例であり、Ｃａｒｒｉｅｒ  Ａｇｇｒｅｇａｔｉｏｎによって複数の下り周波数帯域を受信している移動局装置２００において、コンポーネントキャリア毎に受信品質を測定し、前記コンポーネントキャリア毎の受信品質を総合的に判断して下り同期状態を管理する方法を示す。図中のＤＬ＿ＣＣ１とＤＬ＿ＣＣ２は、移動局装置２００が受信する異なるコンポーネントキャリアを示している。移動局装置２００は、受信している全てのコンポーネントキャリアの受信品質が閾値２（Ｑｉｎ）を上回ったときに下り同期回復と判定し、下り同期状態を同期回復区間に遷移させる。移動局装置２００は、下り同期回復が所定回数連続して判定された場合、下り同期状態を同期区間へと遷移させ、同時に下り同期保護タイマを停止する。
【００９５】
図１３の例では、移動局装置２００は各コンポーネントキャリア（ＤＬ＿ＣＣ１、ＤＬ＿ＣＣ２）の受信品質と閾値２（Ｑｉｎ）を個別に比較し、ＤＬ＿ＣＣ１とＤＬ＿ＣＣ２が共に品質Ｄとなったときに下り同期回復を判定する。
【００９６】
図１４は、図１２の別の変形例であり、Ｃａｒｒｉｅｒ  Ａｇｇｒｅｇａｔｉｏｎによって複数の下り周波数帯域を受信している移動局装置２００において、コンポーネントキャリア毎に受信品質を測定し、前記コンポーネントキャリアのうち、最後にＱｏｕｔを下回ったコンポーネントキャリアの受信品質に基づいて下り同期状態を管理する方法を示す。図中のＤＬ＿ＣＣ＿ｌａｓｔは、移動局装置２００が受信するコンポーネントキャリアのうち、最後にＱｏｕｔを下回ったコンポーネントキャリアを示している。移動局装置２００は、最後にＱｏｕｔを下回ったコンポーネントキャリアの受信品質が閾値２（Ｑｉｎ）を上回ったときに下り同期回復と判定し、下り同期状態を同期回復区間に遷移させる。移動局装置２００は、下り同期回復が所定回数連続して判定された場合、下り同期状態を同期区間へと遷移させ、同時に下り同期保護タイマを停止し、上りコンポーネントキャリアへの送信の停止を解除する。
【００９７】
図１４の例では、移動局装置２００は最後にＱｏｕｔを下回ったコンポーネントキャリア（ＤＬ＿ＣＣ＿ｌａｓｔ）の受信品質と閾値２（Ｑｉｎ）を比較し、最後にＱｏｕｔを下回ったコンポーネントキャリアが品質Ｄとなったときに下り同期回復を判定する。
なお、移動局装置２００は、Ｃａｒｒｉｅｒ  Ａｇｇｒｅｇａｔｉｏｎ状態でない場合、従来の下り同期回復判定を適用することが可能である。
【００９８】
本実施の形態により、移動局装置２００は、Ｃａｒｒｉｅｒ  Ａｇｇｒｅｇａｔｉｏｎ中であっても、下り同期状態をコンポーネントキャリア毎に管理する必要がなくなるため、制御の簡略化が図られ、消費電力が低減される。更に、移動局装置２００はＣａｒｒｉｅｒ  Ａｇｇｒｅｇａｔｉｏｎ中の場合と、Ｃａｒｒｉｅｒ  Ａｇｇｒｅｇａｔｉｏｎ中でない場合の両方において、下り同期回復判定の制御を共通化することが可能となり、ハードウェア回路規模またはソフトウェアが使用するメモリ容量の増加を抑制できる。
【００９９】
（実施の形態５）
本発明の実施の形態５について以下に説明する。
実施の形態４では、移動局装置２００が下り同期回復の検出に関し、受信するコンポーネントキャリアに関係なく下り同期状態を一つだけ管理する方法について示した。しかしながら、移動局装置２００は下り同期回復を判定するために受信している全てコンポーネントキャリアの受信品質を判定し、その結果を総合的に判断する必要があった。そこで、実施の形態５に係わる移動局装置２００は、ある一つのコンポーネントキャリアのみの受信品質に基づいて下り同期状態を管理する方法について示す。実施の形態５は、実施の形態１または実施の形態２の下り同期誤り判定と組み合わせることが好適であるが、他の下り同期判定と組み合わせることも可能である。
本実施の形態に用いる基地局装置１００は図５と同じで良い。また、移動局装置２００は図６と同じでよい。また、ネットワーク構成および周波数帯域の対応関係は、それぞれ図１と図２に示したものと同様のものを適用できる。
【０１００】
図１５は、Ｃａｒｒｉｅｒ  Ａｇｇｒｅｇａｔｉｏｎによって複数の下り周波数帯域を受信している移動局装置２００において、実施の形態２で説明したいずれかの方法に基づいて決定された一つのコンポーネントキャリア（以後、マスターコンポーネントキャリアと称する）の受信品質を測定し、マスターコンポーネントキャリアの受信品質に基づいて下り同期状態を管理する方法を示す。すなわち、移動局装置２００は、マスターコンポーネントキャリアに対して図４に示す下り同期回復判定を行なう必要がある。図中のＭａｓｔｅｒ  ＤＬ＿ＣＣは、移動局装置２００が受信するマスターコンポーネントキャリアを示している。また、図に示す品質Ｃと品質Ｄは実施の形態４と同じ意味であるため説明を省略する。
【０１０１】
移動局装置２００は、マスターコンポーネントキャリアの受信品質が閾値２（Ｑｉｎ）を上回ったときに下り同期回復と判定し、下り同期状態を同期回復区間に遷移させる。移動局装置２００は、下り同期回復が所定回数連続して判定された場合、下り同期状態を同期区間へと遷移させ、同時に下り同期保護タイマを停止し、上りコンポーネントキャリアへの送信の停止を解除する。
図１５の例では、移動局装置２００はマスターコンポーネントキャリア（Ｍａｓｔｅｒ  ＤＬ＿ＣＣ）の受信品質と閾値２（Ｑｉｎ）を比較し、マスターコンポーネントキャリアが品質Ｄとなったときに下り同期回復を判定する。
なお、移動局装置２００は、Ｃａｒｒｉｅｒ  Ａｇｇｒｅｇａｔｉｏｎ状態でない場合、従来の下り同期誤り判定をそのまま適用することが可能である。
【０１０２】
本実施の形態により、移動局装置２００は、Ｃａｒｒｉｅｒ  Ａｇｇｒｅｇａｔｉｏｎ中の下り同期状態をマスターコンポーネントキャリアのみ管理することが可能となり、実施の形態４の効果に加え、コンポーネントキャリア毎に下り同期回復判定に関するパラメータが個別に指定された場合でも従来と同じ制御を用いることが可能となり、より一層の制御の簡略化が図られ、消費電力が低減される。
【０１０３】
（実施の形態６）
本発明の実施の形態６について以下に説明する。
実施の形態４または実施の形態５では、移動局装置２００が下り同期回復の検出に関し、受信するコンポーネントキャリアに関係なく下り同期状態を一つだけ管理する方法について示した。しかしながら、コンポーネントキャリアの伝播特性が大きく異なる場合、移動局装置２００は下り同期状態をコンポーネントキャリア毎に複数管理する方が良い場合がありえる。そこで、実施の形態６では、移動局装置２００がコンポーネントキャリア毎に下り同期状態を管理する方法について示す。実施の形態６は、実施の形態３の下り同期誤り判定と組み合わせることが好適であるが、他の下り同期判定と組み合わせることも可能である。
【０１０４】
本実施の形態に用いる基地局装置１００は図５と同じで良い。また、移動局装置２００は図６と同じでよい。また、ネットワーク構成および周波数帯域の対応関係は、それぞれ図１と図２に示したものと同様のものを適用できる。移動局装置２００は、コンポーネントキャリア毎の下り同期状態を示すＣＣ下り同期状態を、受信しているコンポーネントキャリアと同じ数だけ管理する。
【０１０５】
図１６は、Ｃａｒｒｉｅｒ  Ａｇｇｒｅｇａｔｉｏｎによって複数の下り周波数帯域を受信している移動局装置２００において、移動局装置２００がコンポーネントキャリア毎に受信品質を測定し、前記コンポーネントキャリア毎にＣＣ下り同期状態を管理し、更に、ＣＣ下り同期状態に基づいて下り同期状態を管理する方法を示す。すなわち、移動局装置２００は、複数のコンポーネントキャリアに対して図４に示す下り同期回復判定を個別に行なう必要がある。図中のＤＬ＿ＣＣ１とＤＬ＿ＣＣ２は、移動局装置２００が受信する異なるコンポーネントキャリアを示している。また、ＣＣ１下り同期状態は、ＤＬ＿ＣＣ１の受信品質に対応する下り同期状態であり、ＣＣ２下り同期状態は、ＤＬ＿ＣＣ２の受信品質に対応する下り同期状態である。また、図に示す品質Ｃと品質Ｄは実施の形態４と同じ意味であるため説明を省略する。
【０１０６】
移動局装置２００は、受信しているコンポーネントキャリアの受信品質が閾値２（Ｑｉｎ）を上回ったときに下り同期回復と判定し、対応するＣＣ下り同期状態を同期回復区間に遷移させる。移動局装置２００は、下り同期回復が所定回数連続して判定された場合、対応するＣＣ下り同期状態を同期区間へと遷移させ、同時に対応する下り同期保護タイマを停止し、更にＣＣ下り同期状態を同期回復区間に遷移したコンポーネントキャリアに対応する上りコンポーネントキャリアへの送信の停止を解除する。
【０１０７】
図１６の例では、移動局装置２００は各コンポーネントキャリア（ＤＬ＿ＣＣ１、ＤＬ＿ＣＣ２）の受信品質と閾値２（Ｑｉｎ）を個別に比較し、各コンポーネントキャリアが品質Ｄとなったときにコンポーネントキャリア毎に下り同期回復を判定する。移動局装置２００は、ＣＣ１下り同期状態が同期区間となった場合、ＣＣ２下り同期状態に関係なくＤＬ＿ＣＣ１で通信を再開する。
なお、移動局装置２００は、Ｃａｒｒｉｅｒ  Ａｇｇｒｅｇａｔｉｏｎ状態でない場合、従来の下り同期誤り判定をそのまま適用することが可能である。
【０１０８】
本実施の形態により、移動局装置２００は、Ｃａｒｒｉｅｒ  Ａｇｇｒｅｇａｔｉｏｎ中の下り同期状態をコンポーネントキャリア毎に管理することで、基地局装置１００がコンポーネントキャリア毎に最適な下り同期回復判定の制御を行うことが可能となり、不要な下り同期外れの発生を抑制できるため、通信品質が向上する。
【０１０９】
なお、以上説明した実施形態において、移動局装置２００および基地局装置１００の各部の機能又はこれらの機能の一部を実現するためのプログラムをコンピュータ読み取り可能な記録媒体に記録して、この記録媒体に記録されたプログラムをコンピュータシステムに読み込ませ、実行することにより移動局装置２００や基地局装置１００の制御を行っても良い。なお、ここでいう「コンピュータシステム」とは、ＯＳや周辺機器等のハードウェアを含むものとする。
【０１１０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１１１】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１１２】
１００…基地局装置、１０１…受信部、１０２…復調部、１０３…復号部、１０４…上位レイヤ、１０５…符号部、１０６…変調部、１０７…参照信号生成部、１０８…多重部、１０９…送信部、１１０…制御部、２００…移動局装置、２０１…受信部、２０２…復調部、２０３…復号部、２０４…測定処理部、２０５…リンク同期処理部、２０６…上位レイヤ、２０７…ランダムアクセス生成部、２０８…符号部、２０９…変調部、２１０…送信部、２１１…送信帯域設定部、２１２…制御部。
【図１】
2010084688.tif 000003
【図２】
2010084688.tif 000004
【図３】
2010084688.tif 000005
【図４】
2010084688.tif 000006
【図５】
2010084688.tif 000007
【図６】
2010084688.tif 000008
【図７】
2010084688.tif 000009
【図８】
2010084688.tif 000010
【図９】
2010084688.tif 000011
【図１０】
2010084688.tif 000012
【図１１】
2010084688.tif 000013
【図１２】
2010084688.tif 000014
【図１３】
2010084688.tif 000015
【図１４】
2010084688.tif 000016
【図１５】
2010084688.tif 000017
【図１６】
2010084688.tif 000018
【図１７】
2010084688.tif 000019
【図１８】
2010084688.tif 000020
【図１９】
2010084688.tif 000021
【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
基地局装置と通信を行なう移動局装置であって、
前記基地局装置と接続される周波数の異なる複数の下りリンクの周波数帯域のセルの受信品質を測定し、
前記複数の下りリンクの周波数帯域のセルの受信品質と下りリンクの同期誤り判定用閾値及び下りリンクの同期回復判定用閾値とを下りリンクの周波数帯域のセル毎に比較することによって下りリンクの同期状態の判定に用いられる下りリンクの同期誤りまたは下りリンクの同期回復を下りリンクの周波数帯域のセル毎に検出し、
前記下りリンクの同期誤りが一定回数連続して検出された場合に下りリンクの周波数帯域のセル毎にタイマの計時を開始し、前記下りリンクの周波数帯域のセル毎のタイマが満了したときに下りリンクの同期状態を下りリンクの周波数帯域のセル毎の下りリンクの同期外れと判定し、測定した全ての下りリンクの周波数帯域で前記タイマが満了したときに下りリンクの同期状態を下りリンクの同期外れと判定し、無線リソースを解放して再接続を開始し、
前記下りリンクの周波数帯域のセル毎のタイマの計時中に、前記下りリンクの周波数帯域のセル毎の前記下りリンクの同期回復が一定回数連続して検出された場合に前記下りリンクの周波数帯域のセル毎のタイマの計時を停止し、下りリンクの同期状態を下りリンクの周波数帯域のセル毎の下りリンクの同期と判定する判定手段を備えることを特徴とする移動局装置。
【請求項２】
基地局装置と通信を行なう移動局装置であって、
前記基地局装置と接続される周波数の異なる複数の下りリンクの周波数帯域のセルの受信品質を測定し、
前記受信品質から前記移動局装置の無線リンクの状態の判定に用いられる下りリンクの品質劣化を示す第１の判定情報または下りリンクの品質回復を示す第２の判定情報を前記基地局装置から指定されたセルのそれぞれの受信品質に基づいてセル毎に検出し、
前記第１の判定情報が一定回数連続して検出された場合に前記セル毎に計時が開始されるタイマが満了した場合に、
前記移動局装置の無線リンクの状態が下りリンクの同期外れと判定されない場合は前記セルに対応する下りリンクの同期外れと判定すると共に前記セルの上りリンクの送信を停止し、
前記移動局装置の無線リンクの状態が下りリンクの同期外れと判定される場合は前記セルの無線リソースを解放して再接続手順を開始することを特徴とする移動局装置。
【請求項３】
基地局装置と通信を行なう移動局装置であって、
前記基地局装置と接続される周波数の異なる複数の下りリンクの周波数帯域のセルの受信品質を測定し、
前記受信品質から前記移動局装置の無線リンクの状態の判定に用いられる下りリンクの品質劣化を示す第１の判定情報または下りリンクの品質回復を示す第２の判定情報を前記基地局装置から指定されたセルのそれぞれの受信品質に基づいてセル毎に検出し、
前記第１の判定情報が一定回数連続して検出された場合に前記セル毎に計時が開始されるタイマが満了した場合に、
前記移動局装置の無線リンクの状態が下りリンクの同期外れと判定されない場合は前記セルに対応する上りリンクの送信を停止し、
前記セルで前記第２の判定情報が一定回数連続して検出された場合に前記セルの上りリンクの送信を再開することを特徴とする移動局装置。
【請求項４】
請求項１〜３のいずれかの移動局装置と接続される基地局装置であって、再接続手順を行なう場合に前記移動局装置から通知されるセルＩＤと移動局装置ＩＤに基づき中断されていた前記移動局装置宛のデータを判断し、前記データの送信を再開することを特徴とする基地局装置。
【請求項５】
基地局装置と通信を行なう移動局装置における無線リンク同期判定方法であって、
前記基地局装置と接続される周波数の異なる複数の下りリンクの周波数帯域のセルの受信品質を測定するステップと、
前記複数の下りリンクの周波数帯域のセルの受信品質と下りリンクの同期誤り判定用閾値及び下りリンクの同期回復判定用閾値とを下りリンクの周波数帯域のセル毎に比較することによって下りリンクの同期状態の判定に用いられる下りリンクの同期誤りまたは下りリンクの同期回復を下りリンクの周波数帯域のセル毎に検出するステップと、
前記下りリンクの同期誤りが一定回数連続して検出された場合に下りリンクの周波数帯域のセル毎にタイマの計時を開始し、前記下りリンクの周波数帯域のセル毎のタイマが満了したときに下りリンクの同期状態を下りリンクの周波数帯域のセル毎の下りリンクの同期外れと判定し、測定した全ての下りリンクの周波数帯域のセルで前記タイマが満了したときに下りリンクの同期状態を下りリンクの同期外れと判定し、無線リソースを解放して再接続を開始するステップと、
前記下りリンクの周波数帯域のセル毎のタイマの計時中に、前記下りリンクの周波数帯域のセル毎の前記下りリンクの同期回復が一定回数連続して検出された場合に前記下りリンクの周波数帯域のセル毎のタイマの計時を停止し、下りリンクの同期状態を下りリンクの周波数帯域のセル毎の下りリンクの同期と判定する判定ステップを備えることを特徴とする無線リンク同期判定方法。
【請求項６】
基地局装置と通信を行なう移動局装置における無線リンク同期判定方法であって、
前記基地局装置と接続される周波数の異なる複数の下りリンクの周波数帯域のセルの受信品質を測定するステップと、
前記受信品質から前記移動局装置の無線リンクの状態の判定に用いられる下りリンクの品質劣化を示す第１の判定情報または下りリンクの品質回復を示す第２の判定情報を前記基地局装置から指定されたセルのそれぞれの受信品質に基づいてセル毎に検出するステップと、
前記第１の判定情報が一定回数連続して検出された場合に前記セル毎に計時が開始されるタイマが満了した場合に、
前記移動局装置の無線リンクの状態が下りリンクの同期外れと判定されない場合は前記セルに対応する下りリンクの同期外れと判定すると共に前記セルの上りリンクの送信を停止し、前記第１の判定情報または前記第２の判定情報を他のセルのそれぞれの受信品質に基づいてセル毎に検出するステップと、
前記移動局装置の無線リンクの状態が下りリンクの同期外れと判定される場合は前記セルの無線リソースを解放して再接続手順を開始するステップとを備えることを特徴とする無線リンク同期判定方法。
【請求項７】
基地局装置と通信を行なう移動局装置における無線リンク同期判定方法であって、
前記基地局装置と接続される周波数の異なる複数の下りリンクの周波数帯域のセルの受信品質を測定するステップと、
前記受信品質から前記移動局装置の無線リンクの状態の判定に用いられる下りリンクの品質劣化を示す第１の判定情報または下りリンクの品質回復を示す第２の判定情報を前記基地局装置から指定されたセルのそれぞれの受信品質に基づいてセル毎に検出するステップと、
前記第１の判定情報が一定回数連続して検出された場合に前記セル毎に計時が開始されるタイマが満了した場合に、
前記移動局装置の無線リンクの状態が下りリンクの同期外れと判定されない場合は前記セルに対応する上りリンクの送信を停止するステップと、
前記セルで前記第２の判定情報が一定回数連続して検出された場合に前記セルの上りリンクの送信を再開するステップを備えることを特徴とする無線リンク同期判定方法。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
第１の技術手段は、基地局装置と通信を行なう移動局装置であって、前記基地局装置と接続される周波数の異なる複数の下りリンクの周波数帯域のセルの受信品質を測定し、前記複数の下りリンクの周波数帯域のセルの受信品質と下りリンクの同期誤り判定用閾値及び下りリンクの同期回復判定用閾値とを下りリンクの周波数帯域のセル毎に比較することによって下りリンクの同期状態の判定に用いられる下りリンクの同期誤りまたは下りリンクの同期回復を下りリンクの周波数帯域のセル毎に検出し、前記下りリンクの同期誤りが一定回数連続して検出された場合に下りリンクの周波数帯域のセル毎にタイマの計時を開始し、前記下りリンクの周波数帯域のセル毎のタイマが満了したときに下りリンクの同期状態を下りリンクの周波数帯域のセル毎の下りリンクの同期外れと判定し、測定した全ての下りリンクの周波数帯域で前記タイマが満了したときに下りリンクの同期状態を下りリンクの同期外れと判定し、無線リソースを解放して再接続を開始し、前記下りリンクの周波数帯域のセル毎のタイマの計時中に、前記下りリンクの周波数帯域のセル毎の前記下りリンクの同期回復が一定回数連続して検出された場合に前記下りリンクの周波数帯域のセル毎のタイマの計時を停止し、下りリンクの同期状態を下りリンクの周波数帯域のセル毎の下りリンクの同期と判定する判定手段を備えることを特徴としたものである。
第２の技術手段は、基地局装置と通信を行なう移動局装置であって、前記基地局装置と接続される周波数の異なる複数の下りリンクの周波数帯域のセルの受信品質を測定し、前記受信品質から前記移動局装置の無線リンクの状態の判定に用いられる下りリンクの品質劣化を示す第１の判定情報または下りリンクの品質回復を示す第２の判定情報を前記基地局装置から指定されたセルのそれぞれの受信品質に基づいてセル毎に検出し、前記第１の判定情報が一定回数連続して検出された場合に前記セル毎に計時が開始されるタイマが満了した場合に、前記移動局装置の無線リンクの状態が下りリンクの同期外れと判定されない場合は前記セルに対応する下りリンクの同期外れと判定すると共に前記セルの上りリンクの送信を停止し、前記移動局装置の無線リンクの状態が下りリンクの同期外れと判定される場合は前記セルの無線リソースを解放して再接続手順を開始することを特徴としたものである。
第３の技術手段は、基地局装置と通信を行なう移動局装置であって、前記基地局装置と接続される周波数の異なる複数の下りリンクの周波数帯域のセルの受信品質を測定し、前記受信品質から前記移動局装置の無線リンクの状態の判定に用いられる下りリンクの品質劣化を示す第１の判定情報または下りリンクの品質回復を示す第２の判定情報を前記基地局装置から指定されたセルのそれぞれの受信品質に基づいてセル毎に検出し、前記第１の判定情報が一定回数連続して検出された場合に前記セル毎に計時が開始されるタイマが満了した場合に、前記移動局装置の無線リンクの状態が下りリンクの同期外れと判定されない場合は前記セルに対応する上りリンクの送信を停止し、前記セルで前記第２の判定情報が一定回数連続して検出された場合に前記セルの上りリンクの送信を再開することを特徴としたものである。
【手続補正８】
【補正対象書類名】明細書
【補正対象項目名】００１６
【補正方法】変更
【補正の内容】
【００１６】
第４の技術手段は、第１〜第３のいずれかの移動局装置と接続される基地局装置であって、再接続手順を行なう場合に前記移動局装置から通知されるセルＩＤと移動局装置ＩＤに基づき中断されていた前記移動局装置宛のデータを判断し、前記データの送信を再開することを特徴としたものである。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
第５の技術手段は、基地局装置と通信を行なう移動局装置における無線リンク同期判定方法であって、前記基地局装置と接続される周波数の異なる複数の下りリンクの周波数帯域のセルの受信品質を測定するステップと、前記複数の下りリンクの周波数帯域のセルの受信品質と下りリンクの同期誤り判定用閾値及び下りリンクの同期回復判定用閾値とを下りリンクの周波数帯域のセル毎に比較することによって下りリンクの同期状態の判定に用いられる下りリンクの同期誤りまたは下りリンクの同期回復を下りリンクの周波数帯域のセル毎に検出するステップと、前記下りリンクの同期誤りが一定回数連続して検出された場合に下りリンクの周波数帯域のセル毎にタイマの計時を開始し、前記下りリンクの周波数帯域のセル毎のタイマが満了したときに下りリンクの同期状態を下りリンクの周波数帯域のセル毎の下りリンクの同期外れと判定し、測定した全ての下りリンクの周波数帯域のセルで前記タイマが満了したときに下りリンクの同期状態を下りリンクの同期外れと判定し、無線リソースを解放して再接続を開始するステップと、前記下りリンクの周波数帯域のセル毎のタイマの計時中に、前記下りリンクの周波数帯域のセル毎の前記下りリンクの同期回復が一定回数連続して検出された場合に前記下りリンクの周波数帯域のセル毎のタイマの計時を停止し、下りリンクの同期状態を下りリンクの周波数帯域のセル毎の下りリンクの同期と判定する判定ステップを備えることを特徴としたものである。
第６の技術手段は、基地局装置と通信を行なう移動局装置における無線リンク同期判定方法であって、前記基地局装置と接続される周波数の異なる複数の下りリンクの周波数帯域のセルの受信品質を測定するステップと、前記受信品質から前記移動局装置の無線リンクの状態の判定に用いられる下りリンクの品質劣化を示す第１の判定情報または下りリンクの品質回復を示す第２の判定情報を前記基地局装置から指定されたセルのそれぞれの受信品質に基づいてセル毎に検出するステップと、前記第１の判定情報が一定回数連続して検出された場合に前記セル毎に計時が開始されるタイマが満了した場合に、前記移動局装置の無線リンクの状態が下りリンクの同期外れと判定されない場合は前記セルに対応する下りリンクの同期外れと判定すると共に前記セルの上りリンクの送信を停止し、前記第１の判定情報または前記第２の判定情報を他のセルのそれぞれの受信品質に基づいてセル毎に検出するステップと、前記移動局装置の無線リンクの状態が下りリンクの同期外れと判定される場合は前記セルの無線リソースを解放して再接続手順を開始するステップとを備えることを特徴としたものである。
第７の技術手段は、基地局装置と通信を行なう移動局装置における無線リンク同期判定方法であって、前記基地局装置と接続される周波数の異なる複数の下りリンクの周波数帯域のセルの受信品質を測定するステップと、前記受信品質から前記移動局装置の無線リンクの状態の判定に用いられる下りリンクの品質劣化を示す第１の判定情報または下りリンクの品質回復を示す第２の判定情報を前記基地局装置から指定されたセルのそれぞれの受信品質に基づいてセル毎に検出するステップと、前記第１の判定情報が一定回数連続して検出された場合に前記セル毎に計時が開始されるタイマが満了した場合に、前記移動局装置の無線リンクの状態が下りリンクの同期外れと判定されない場合は前記セルに対応する上りリンクの送信を停止するステップと、前記セルで前記第２の判定情報が一定回数連続して検出された場合に前記セルの上りリンクの送信を再開するステップを備えることを特徴としたものである。
【国際調査報告】
2010084688.tif 000022
2010084688.tif 000023